(57)【要約】【課題】アクシス−スイッチング現象を利用して、噴霧の微粒化と、噴霧形状、貫徹力、および噴射量分布の設計自由度の向上を両立させる。【解決手段】燃料噴射弁１は、噴孔プレート３３の周方向に配置された複数の噴孔３９が少なくとも一つのスイッチング噴孔３９２を含む。スイッチング噴孔３９２により生成されるスイッチング噴霧は、該噴孔３９２から所定の距離でアクシス−スイッチング現象を生じ、噴射方向に垂直な面内の断面形状において長軸と短軸の方向を変化させる。これにより、全体噴霧６０を形成する各噴霧のうち、少なくとも一つの噴霧の噴射方向に垂直な面内の断面形状を変化させ、所望の方向を指向するように制御することが可能となる。【選択図】図３
2015078604.tif 000002
【特許請求の範囲】
【請求項１】
流体が流れる通路の途中に設けられた弁座と、前記弁座と当接および離間可能に設けられ前記通路の開閉を制御する弁体と、前記弁座の下流に設けられた噴孔体とを備え、前記噴孔体に配置された複数の噴孔から流体を噴射し噴霧を生成する流体噴射弁であって、
前記複数の噴孔は、噴射方向に垂直な面内の断面形状において長軸と短軸の長さが異なるスイッチング噴霧を生成するスイッチング噴孔を少なくとも一つ含み、
前記スイッチング噴孔により生成されるスイッチング噴霧は、該スイッチング噴孔から所定の距離でアクシス−スイッチング現象を生じるように制御され、前記長軸と前記短軸の方向を変化させることを特徴とする流体噴射弁。
【請求項２】
前記スイッチング噴孔は、前記噴孔体の板厚方向に垂直な断面形状が長円形であることを特徴とする請求項１記載の流体噴射弁。
【請求項３】
前記スイッチング噴孔は、前記短軸に対して前記長軸が線対称なスイッチング噴霧を生成するように、その噴孔径、長さ、および傾きを含む噴孔仕様が設定されることを特徴とする請求項１または請求項２に記載の流体噴射弁。
【請求項４】
前記複数の噴孔は、少なくとも前記スイッチング噴孔により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定されることを特徴とする請求項１から請求項３のいずれか一項に記載の流体噴射弁。
【請求項５】
前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項１から請求項４のいずれか一項に記載の流体噴射弁。
【請求項６】
請求項１から請求項５のいずれか一項に記載の流体噴射弁と、前記流体噴射弁に流体を供給する流体供給手段と、前記流体噴射弁の動作を制御する制御手段とを備えたことを特徴とする噴霧生成装置。
【請求項７】
燃料室内に配置される点火プラグと、前記燃焼室に燃料を噴射する燃料噴射弁とを備えた火花点火式エンジンであって、
前記燃料噴射弁は、燃料が流れる通路の途中に設けられた弁座と、前記弁座と当接および離間可能に設けられ前記通路の開閉を制御する弁体と、前記弁座の下流に設けられた噴孔体とを有し、前記噴孔体に配置された複数の噴孔から燃料を噴射し噴霧を生成するものであり、
前記複数の噴孔は、噴射方向に垂直な面内の断面形状において長軸と短軸の長さが異なるスイッチング噴霧を生成するスイッチング噴孔を少なくとも一つ含み、
前記スイッチング噴孔により生成されるスイッチング噴霧は、該スイッチング噴孔から所定の距離でアクシス−スイッチング現象を生じるように制御され、前記長軸と前記短軸の方向を変化させることを特徴とする火花点火式エンジン。
【請求項８】
前記スイッチング噴孔により生成されるスイッチング噴霧は、アクシス−スイッチング現象により前記点火プラグ近傍を指向する噴霧となるように制御されることを特徴とする請求項７記載の火花点火式エンジン。
【請求項９】
前記スイッチング噴孔により生成されるスイッチング噴霧は、前記燃焼室内の圧力または空気流動により、アクシス−スイッチング現象を生じるか否かを制御されることを特徴とする請求項７または請求項８に記載の火花点火式エンジン。
【請求項１０】
前記スイッチング噴孔は、前記短軸に対して前記長軸が線対称なスイッチング噴霧を生成するように、その噴孔径、長さ、および傾きを含む噴孔仕様が設定されることを特徴とする請求項７から請求項９のいずれか一項に記載の火花点火式エンジン。
【請求項１１】
前記複数の噴孔は、少なくとも前記スイッチング噴孔により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定されることを特徴とする請求項７から請求項１０のいずれか一項に記載の火花点火式エンジン。
【請求項１２】
前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項７から請求項１１のいずれか一項に記載の火花点火式エンジン。
【請求項１３】
前記燃焼室において成層燃焼を行う場合、前記スイッチング噴孔により生成されるスイッチング噴霧は、前記点火プラグ近傍を通過する過程でアクシス−スイッチング現象を生じて前記点火プラグ近傍を指向すると共に貫徹力が低下し、前記点火プラグ近傍を通過した時点で貫徹力を失い前記点火プラグ近傍で滞留するように制御されることを特徴とする請求項７から請求項１２のいずれか一項に記載の火花点火式エンジン。
【請求項１４】
前記燃焼室において均質燃焼を行う場合、前記スイッチング噴孔により生成されるスイッチング噴霧は、前記点火プラグ近傍を通過する過程で前記燃焼室内の空気流動に追随し、アクシス−スイッチング現象を生じず前記燃焼室内全体に拡散するように制御されることを特徴とする請求項７から請求項１３のいずれか一項に記載の火花点火式エンジン。
【発明の詳細な説明】
【技術分野】
【０００１】
本発明は、複数の噴孔から流体を噴射し噴霧を生成する流体噴射弁およびこれを備えた噴霧生成装置、並びに火花点火式エンジンに関する。
【背景技術】
【０００２】
近年、車両用エンジンにおいては、燃料噴霧の微粒化によるエンジン冷機時の排出ガス低減や、燃焼性改善による燃費向上の研究開発が積極的に進められている。特に、燃焼室内に燃料を直接噴射するマルチホールインジェクタを搭載した火花点火式エンジンにおける成層燃焼コンセプトの研究開発が知られている。
【０００３】
このようなエンジンにおける燃料噴霧は、点火プラグ近傍を指向する噴霧と、点火プラグ近傍を指向しない噴霧とで構成されており、前者は特に点火プラグ付近での成層燃焼を実現し、後者は成層燃焼や均質燃焼での燃焼室内全体の混合気形成を実現する役割をもっている。
【０００４】
燃焼室中心部に点火プラグが装着され、吸気弁を跨いだ位置に燃料噴射弁としてのマルチホールインジェクタが装着される場合、点火プラグとマルチホールインジェクタは対向していない。このため、点火プラグ近傍を指向する噴霧と、点火プラグ近傍を指向しない噴霧とに要求される噴霧仕様は異なってくる。つまり、エンジンの低速低負荷で成層燃焼を行う場合と、高速高負荷で均質燃焼を行う場合とでは、要求される噴霧仕様は異なる。
【０００５】
一方、噴霧の微粒化のプロセスにおいて、液滴を小さくするためには、その分裂の前段階である液糸を細くすることが有効である。液糸を細くするためには、液糸の分裂の前段階である液膜を薄くしたり液柱を細くしたりすることが有効であり、液膜の方がより液柱よりも有利であることが分かっている。また、液膜流形成手法として、噴孔に流入する前の燃料流に旋回流を与えて噴孔内に液膜流を形成する方法が知られている。
【０００６】
本願発明者は、これらの液膜流形成手法や微粒化プロセス、さらに、それらをベースとして複数の単噴霧が集合した集合噴霧の噴霧形状、貫徹力、噴射量分布の出来映えの関係を調査検討した結果、単噴霧が集合した集合噴霧において、次の二つの形態に分けられることを見出している。
【０００７】
一つは、各単噴霧が識別可能であり、かつ各単噴霧の特徴がほぼ識別不可能な集合噴霧になる場合である。これは、比較的均質に近い中実構造の集合噴霧であり、各単噴霧を識別可能ではあるが、集合噴霧と共通的な特徴を示す噴霧となっており、中途半端でコントロールし難い噴霧である。
【０００８】
もう一つは、各単噴霧の識別さえも不可能となる集合噴霧になる場合である。これは、噴射量分布が中心ピークの円錐形状となるものを代表例とする集合噴霧であり、複数の単噴霧が集合してほぼ元の形態とは異なる新しい一つの集合噴霧に置き換わっており、非常に特徴的で安定した現象である。
【０００９】
これらのどちらの形態になるかは、噴霧挙動がある閾値のどちらにあるかによるところが大きい。単噴霧の集合化が進んだ集合噴霧になるほど噴射量分布は軸対称に近づき、また鋭角な円錐形状となり、全体噴霧としての貫徹力が増大する。上記二つの形態のどちらの場合であっても、複数の単噴霧が集合し、噴霧方向に垂直な面内の噴霧形状と噴射量分布がほぼ軸対称になった集合噴霧において、その断面形状を非対象な異形とし、噴霧の一部分を所望の方向に指向させることは難しい。
【００１０】
また、前述したような微粒化手法が燃料噴射弁に適用されつつあるが、微粒化の技術の主流は小噴孔径と多噴孔化であり、隣り合う噴孔からの噴流が互いに干渉して微粒化状態が悪化しないように設計されている。すなわち、噴孔中心軸線あるいは噴流方向が下流になるほど離れていくように、噴孔配置と噴孔径、傾き、および長さ等の噴孔仕様が設定されており、噴霧の微粒化とコンパクトな噴霧は両立しにくい。
【００１１】
噴霧全体の広がりを抑制する手法としては、噴孔中心軸線あるいは噴流方向が噴孔直下で互いに交差するような噴孔配置と噴孔仕様にすることが知られている。しかし、この手法では、噴孔出口から液膜流の破断や分裂を経て実質的に噴霧流と見なせるようになる位置までの長さ（液膜流のブレーク長さ）との関係や微粒化の要件が考慮されていなかった。
【００１２】
一方、噴霧全体の広がりを抑制するために、流体噴射弁の垂直線に対する噴孔中心軸線の角度を相対的に小さくすると、薄い液膜流を形成するのに不利である。従って、微粒化プロセスが遅くなり噴流同士が干渉し易く、微粒化レベルを期待値通りに実現できない。また、前述のように、噴流同士の干渉により複数の単噴霧の集合噴霧が生じた場合、単噴霧の時より貫徹力が大きくなる。
【００１３】
さらに、シリンダライナーへの噴霧衝突軽減や空気との混合促進のために、噴霧の貫徹力を所定距離のところで急速に減衰させる手法が望まれるが、噴霧形態を大きく変えずに実現する手法がなかった。このため、各噴霧が貫徹力を急速に減衰するためには、噴孔出口からの噴流を偏平にする等の方法で噴霧の運動量の減衰を早める必要があるが、その場合、各噴霧出口での噴流の干渉を避けるために、各噴流方向をさらに離す必要があった。
【００１４】
例えば、火花点火式エンジンにおいて噴霧貫徹力の確保と噴霧密度の適度な分散を両立させることを目的とした先行技術として、特許文献１では、主噴孔と、噴射中心が主噴孔の噴射中心と異なる方向を指向する副噴孔とを備え、主噴孔の入口と出口の断面積が異なるように設定することで、噴射量を一定にしたままで噴霧角を広げ、噴霧の燃料密度を分散させたマルチホールインジェクタが提示されている。
【００１５】
また、特許文献２では、噴孔内の燃料の流れる方向に縮小する第１テーパ部においてキャビテーション気泡を発生させ、発生したキャビテーション気泡が崩壊することにより燃料を微粒化させると共に、微粒化された燃料を流れ方向に拡大する第２テーパ部により拡散して貫徹力を低下させるようにした燃料噴射弁が提示されている。
【００１６】
一方、流体工学において、噴孔から噴射された断面形状が長円状の噴霧の長軸と短軸との方向が、下流において変化するアクシス−スイッチング（ａｘｉｓ−ｓｗｉｔｃｈｉｎｇ）現象が知られている（非特許文献１−６）。このアクシス−スイッチング現象は、噴霧の断面形状が長円形状でなくてもよく、少なくとも短軸に対して長軸がほぼ線対称である形状のものであれば成立する。
【先行技術文献】
【特許文献】
【００１７】
【特許文献１】特開２００７−３１５２７６号公報
【特許文献２】特開２０１２−１４５０４８号公報
【非特許文献】
【００１８】
【非特許文献１】日本機械学会論文集（Ｂ編）５５巻５１４号、ｐｐ１５４２−１５４５、「非円形噴流中の渦構造に関する研究」（豊田他）
【非特許文献２】ILASS−Europe２０１０、”An experimental investigation of discharge coefficient and cavitation length in the elliptical nozzles”(Sung Ryoul Kim)
【非特許文献３】生産研究５０巻１号、ｐｐ６９−７２、”Numerical Simulation of Complex Turbulent Jets:Origin of Axis-Switching”(Ayodeji O.DEMUREN)
【非特許文献４】噴流工学、森北出版、ｐｐ４１−４２
【非特許文献５】日本機械学会論文集（第２部）２５巻１５６号、ｐｐ８２０−８２６、「ディーゼル機関燃料噴霧の到達距離に関する研究」（和栗ら）
【非特許文献６】日本機械学会論文集（Ｂ編）６２巻５９９号、ｐｐ２８６７−２８７３「ディーゼル噴霧構造に与える雰囲気粘性の影響」（段ら）
【発明の概要】
【発明が解決しようとする課題】
【００１９】
上記のように、従来技術では、マルチホールインジェクタを搭載した火花点火式エンジンにおいて、点火プラグ近傍を指向する噴霧と点火プラグ近傍を指向せずに全体に拡散する噴霧のそれぞれに要求される噴霧仕様を実現するための設計の自由度が低く、十分に実現することができていなかった。特に、噴霧の微粒化、噴霧形状、および貫徹力は、互いに相関を持つ特性であるが、特許文献１および特許文献２では、それらの影響を考慮していないため、最適な噴霧仕様を実現することはできない。
【００２０】
特許文献１のようなノズルでは、実際には噴孔上流のサック（キャビティ）内部の流れ方によって各噴孔への燃料の流入の仕方が変わることが知られている。すなわち、噴孔入口と出口の断面積を異ならせた場合に、必ずしも噴射量を一定にしたままで噴霧角を広げられるとは限らない。特に、複数の噴孔がインジェクタ中心軸を対称にして配置されていない場合は、各噴孔内の流れパターンは同じとならないことが多いが、特許文献１ではこれらのことが考慮されていない。
【００２１】
特許文献２では、燃料圧力や剥離状況等によるキャビテーションへの影響が示されていないため、微粒化のレベルが不明である。微粒化のレベルが異なれば噴霧全体が保有する運動量も異なり貫徹力にも影響する。特に点火プラグ近傍を指向する噴霧としては、噴霧形状や貫徹力等の設計自由度をより確実に向上させる手法が望まれる。
【００２２】
また、従来の流体噴射弁において、上述のアクシス−スイッチング現象を利用して噴霧の噴射方向に垂直な面内の断面形状を変化させ、噴霧方向を制御したものはなかった。さらに、アクシス−スイッチング現象を利用して全体噴霧の形状、噴霧の微粒化、貫徹力および噴射量分布の設計を行ったものはなかった。
【００２３】
本発明は、上記のような問題点を解決するためになされたものであり、アクシス−スイッチング現象を利用して噴霧方向を制御することを可能とし、噴霧の微粒化と、噴霧形状、貫徹力、および噴射量分布の設計自由度の向上を両立させた流体噴射弁およびこれを備えた噴霧生成装置を得ることを目的とする。
【００２４】
また、アクシス−スイッチング現象を利用して点火プラグ近傍を指向する噴霧を生成することを可能とし、噴霧の微粒化と、噴霧形状、貫徹力、および噴射量分布の設計自由度の向上を両立させた火花点火式エンジンを得ることを目的とする。
【課題を解決するための手段】
【００２５】
本発明に係る流体噴射弁は、流体が流れる通路の途中に設けられた弁座と、弁座と当接および離間可能に設けられ通路の開閉を制御する弁体と、弁座の下流に設けられた噴孔体とを備え、噴孔体に配置された複数の噴孔から流体を噴射し噴霧を生成する流体噴射弁であって、複数の噴孔は、噴射方向に垂直な面内の断面形状において長軸と短軸の長さが異なるスイッチング噴霧を生成するスイッチング噴孔を少なくとも一つ含み、スイッチング噴孔により生成されるスイッチング噴霧は、該スイッチング噴孔から所定の距離でアクシス−スイッチング現象を生じるように制御され、長軸と短軸の方向を変化させるものである。
【００２６】
また、本発明に係る噴霧生成装置は、上記の流体噴射弁と、流体噴射弁に流体を供給する流体供給手段と、流体噴射弁の動作を制御する制御手段とを備えたものである。
【００２７】
また、本発明に係る火花点火式エンジンは、燃料室内に配置される点火プラグと、燃焼室に燃料を噴射する燃料噴射弁とを備えた火花点火式エンジンであって、燃料噴射弁は、燃料が流れる通路の途中に設けられた弁座と、弁座と当接および離間可能に設けられ通路の開閉を制御する弁体と、弁座の下流に設けられた噴孔体とを有し、噴孔体に配置された複数の噴孔から燃料を噴射し噴霧を生成するものであり、複数の噴孔は、噴射方向に垂直な面内の断面形状において長軸と短軸の長さが異なるスイッチング噴霧を生成するスイッチング噴孔を少なくとも一つ含み、スイッチング噴孔により生成されるスイッチング噴霧は、該スイッチング噴孔から所定の距離でアクシス−スイッチング現象を生じるように制御され、長軸と短軸の方向を変化させるものである。
【発明の効果】
【００２８】
本発明に係る燃料噴射弁およびこれを備えた噴霧生成装置によれば、複数の噴孔により生成される各噴霧のうち、少なくとも一つをスイッチング噴霧とすることにより、アクシス−スイッチング現象を利用して噴霧方向を制御することが可能となり、噴霧の微粒化と、噴霧形状、貫徹力、および噴射量分布の設計自由度の向上を両立させることが可能となる。
【００２９】
また、本発明に係る火花点火式エンジンによれば、複数の噴孔により生成される各噴霧のうち、少なくとも一つをスイッチング噴霧とすることにより、アクシス−スイッチング現象を利用して点火プラグ近傍を指向する噴霧を生成することが可能となり、噴霧の微粒化と、噴霧形状、貫徹力、および噴射量分布の設計自由度の向上を両立させることが可能となる。
【図面の簡単な説明】
【００３０】
【図１】本発明の実施の形態１に係る燃料噴射弁を示す断面図である。
【図２】本発明の実施の形態１に係る燃料噴射弁の先端部を示す拡大断面図である。
【図３】本発明の実施の形態１に係る燃料噴射弁の噴孔プレートを示す平面図である。
【図４】本発明の実施の形態１に係る燃料噴射弁の先端部の構造を説明する詳細断面図である。
【図５】本発明の実施の形態１に係る燃料噴射弁の先端部の構造を説明する詳細断面図である。
【図６】参考例として二つの非スイッチング噴霧がコアンダ効果により集合噴霧を形成するまでの挙動を説明する図である。
【図７】参考例として二つの非スイッチング噴霧がコアンダ効果により集合噴霧を形成するまでの挙動を説明する図である。
【図８】本発明の実施の形態１に係る燃料噴射弁において二つの非スイッチング噴霧にコアンダ効果が作用しない場合の挙動を説明する図である。
【図９】本発明の実施の形態１に係る燃料噴射弁において非スイッチング噴霧とスイッチング噴霧にコアンダ効果が作用した場合の挙動を説明する図である。
【図１０】本発明の実施の形態１に係る燃料噴射弁において非スイッチング噴霧とスイッチング噴霧にコアンダ効果が作用しない場合の挙動を説明する図である。
【図１１】本発明の実施の形態１に係る燃料噴射弁において非スイッチング噴霧とスイッチング噴霧にコアンダ効果が作用しない場合の挙動を説明する図である。
【図１２】本発明の実施の形態１に係る燃料噴射弁において形成される全体噴霧の例を説明する図である。
【図１３】本発明の実施の形態１に係る燃料噴射弁において各噴霧が全体噴霧に至るまでを時系列で示す図である。
【図１４】本発明の実施の形態２に係る火花点火式エンジンを説明する図である。
【発明を実施するための形態】
【００３１】
実施の形態１．
以下に、本発明の実施の形態１に係る流体噴射弁および噴霧生成装置について、図面に基づいて説明する。図１は、本実施の形態１に係る燃料噴射弁を示す断面図、図２は、本実施の形態１に係る燃料噴射弁の先端部を示す拡大断面図である。なお、図中、同一、相当部分には同一符号を付している。
【００３２】
本実施の形態１に係る噴霧生成装置は、流体噴射弁である燃料噴射弁１と、燃料噴射弁１に燃料を供給する燃料供給手段（図示省略）、および燃料噴射弁１の動作を制御する制御手段である制御装置（図示省略）とを備えている。以下の説明では、内燃機関のシリンダヘッドに取り付けられ、燃料を噴射する先端部が内燃機関の筒内に臨むよう配置された燃料噴射弁１を例に挙げて説明する。
【００３３】
燃料噴射弁１は、電磁力を発生するソレノイド装置２と、ソレノイド装置２への通電により作動する弁装置３を備えている。ソレノイド装置２は、磁気回路のヨーク部分をなすハウジング２１と、このハウジング２１の内側に設けられた固定鉄心であるコア２２と、コア２２を囲うように設けられたコイル２３と、コイル２３の内側に設けられ往復移動する可動鉄心であるアマチュア２４を備えている。
【００３４】
弁装置３は、円筒形状であってコア２２の先端部の外径部に圧入、溶接された弁本体３１と、弁本体３１の内部の燃料が流れる通路の途中に設けられた弁座３２を備えている。弁座３２の下流には、燃料を噴射する複数の噴孔３９を有する噴孔体である噴孔プレート３３と、弁座３２の内部で噴孔プレート３３の上流に設けられたカバープレート３４と、弁本体３１の内側に弁座３２と当接および離間可能に設けられ通路の開閉を制御する弁体３５と、弁体３５の上流に設けられた圧縮バネ３６を備えている。
【００３５】
弁体３５は、アマチュア２４の内面に圧入、溶接された中空のロッド３７と、ロッド３７の先端部に溶接で固定されたボール３８を有している。ボール３８は、燃料噴射弁１のＺ軸（図１中、矢印で示す）に平行な面取部３８ａと、カバープレート３４と対向する平面部３８ｂと、弁座３２と線接触する曲面部３８ｃとを有している。
【００３６】
噴孔プレート３３は、周縁部が下側に折曲されており、弁座３２の先端面および弁本体３１の内周側面に溶接されている。噴孔プレート３３には、板厚方向に貫通する複数の噴孔３９が形成されている。図３は、噴孔プレート３３を弁本体３１内側から見た平面図である。噴孔プレート３３には、複数の噴孔３９が周方向に配置されている。
【００３７】
複数の噴孔３９は、噴孔プレート３３の板厚方向に垂直な断面形状が円形の非スイッチング噴孔３９１と、長円形のスイッチング噴孔３９２を含んで構成されている。スイッチング噴孔３９２は、長円の長軸が、非スイッチング噴孔３９１との間隔を小さくする方向に配置されている。
【００３８】
非スイッチング噴孔３９１から噴射された燃料の噴流は、所定の距離（ブレーク長さ）下流に進むと、噴射方向に垂直な面内の断面形状が円形の非スイッチング噴霧を生成する。また、スイッチング噴孔３９２から噴射された噴流は、所定の距離（ブレーク長さ）下流に進むと、噴射方向に垂直な面内の断面形状において長軸と短軸の長さが異なるスイッチング噴霧を生成する。
【００３９】
スイッチング噴孔３９２により生成されるスイッチング噴霧は、該スイッチング噴孔３９２から所定の距離でアクシス−スイッチング現象を生じるように制御され、長軸と短軸の方向を変化させる。なお、各噴霧の挙動については後に詳細に説明する。
【００４０】
次に、燃料噴射弁１の動作について説明する。内燃機関の制御装置より燃料噴射弁１の駆動回路に動作信号が送られると、燃料噴射弁１のコイル２３に電流が通電され、アマチュア２４はコア２２側へ吸引される。この結果、アマチュア２４と一体構造であるロッド３７およびボール３８は、圧縮バネ３６の弾性力に逆らって上方向に移動し、ボール３８の曲面部３８ｃが弁座面３２ａから離間し、両者に間隙が形成されて通路が形成され、吸気ポートに指向した燃料噴射が開始される。
【００４１】
一方、内燃機関の制御装置より燃料噴射弁１の駆動回路に動作の停止信号が送られると、コイル２３への通電が停止し、アマチュア２４がコア２２側に吸引される力は消失し、ロッド３７は、圧縮バネ３６の弾性力によって弁座３２側に押され、ボール３８の曲面部３８ｃと弁座面３２ａとは閉状態となり、燃料噴射はこの時点で終了する。
【００４２】
ここで、例えば縮流によって噴孔３９内の流れを液膜流とする噴孔プレート３３とカバープレート３４、および弁座３２、ボール３８の詳細な構造と位置について、図２、図４および図５の各詳細断面図を用いて説明する。ここで説明する噴孔３９は、非スイッチング噴孔３９１とスイッチング噴孔３９２のどちらであってもよい。なお、図４において、Ｘは噴孔３９の径、Ｙは噴孔３９の長さを示している。
【００４３】
燃料は、弁体３５の開弁時においてボール３８の面取部３８ａと弁座３２の内面との間のＺ軸に平行な通路から、ボール３８の曲面部３８ｃと弁座面３２ａとの間を下流へ向かい、弁座シート部Ｒ１に至る。弁座シート部Ｒ１の上流では燃料がＺ軸に平行に流れるため、燃料は、弁座シート部Ｒ１を通過した後においては慣性により弁座面３２ａに沿う流れが主流となり、弁座面３２ａの下流端の点Ｐ１に達する。
【００４４】
点Ｐ１は弁座面３２ａの終端であり、弁座３２は、点Ｐ１から下流側は垂直方向に延びた面を有している。従って、燃料の主流は、点Ｐ１から剥離する。弁座面３２ａの延長線は、カバープレート３４の周側面と点Ｐ２で交わっており、点Ｐ１から剥離した燃料は、点Ｐ２に向かい環状通路Ｃ（弁座３２の内周壁面とカバープレート３４の大径部３４ｄの周側面との間）を通過して、径方向に大幅な進路変更を伴わずに径方向通路Ｂ（弁座３２の内周壁面とカバープレート３４の小径部３４ｃの周側面との間）に流入する。
【００４５】
なお、弁座シート部Ｒ１を通過する燃料の主流は、環状通路Ｃに流入するため、隙間通路Ａ（ボール３８の底面とカバープレート３４の天面３４ａとの間）への流入は抑制される。シート部Ｒ１と噴孔３９の入口の点Ｐ３とを直線で結んだ線は、カバープレート３４の大径部である薄肉部３４ｂで交叉している。すなわち薄肉部３４ｂは、弁座シート部Ｒ１から噴孔３９の入口への燃料の直線的な流入を遮っている。
【００４６】
このため、噴孔３９に流入する燃料の少なくとも一部は、径方向通路Ｂに沿う流れとなる。カバープレート３４は、その小径部３４ｃが噴孔３９よりも内径側で噴孔３９に近接
して配置されている。従って、径方向通路Ｂに沿って内径側に向かう燃料の正面流れＦ１は、燃料噴射弁１のＺ軸から噴孔３９に流入する戻り流れＦ２の流路を閉塞させ、戻り流れＦ２の速度を低下させる。戻り流れＦ２が抑制されることで、弁座シート部Ｒ１側から噴孔３９に流入する正面流れＦ１の速度が相対的に強められる。
【００４７】
正面流れＦ１の少なくとも一部が、径方向通路Ｂに沿って進行した後に噴孔３９内で大幅な方向変化を強制されること、および正面流れＦ１が高速であることから、燃料は、噴孔３９の断面において、燃料噴射弁１のＺ軸側の噴孔３９の壁面に強く押し付けられる。その後、図５に示すように、噴孔３９の入口では、低速な戻り流れＦ２は、噴孔３９の壁面に沿って流れＦ３を形成し、高速な正面流れＦ１は、燃料を壁面に押し付ける燃料流Ｆ４を形成する。
【００４８】
また、噴孔３９の出口から導入される空気の流れＦ５が燃料流Ｆ４に作用し、点Ｐ４（噴孔３９の燃料入口の外側の縁部）を起点とした燃料流Ｆ４の剥離を生じさせる。燃料流Ｆ４は、噴孔３９内を進行するに伴い壁面に押し付けられ、液膜の方向は、噴孔３９の壁面の円周方向に広がりつつ噴孔３９の壁面に沿う方向に変化していく。
【００４９】
前述のように、液膜が薄いほど液糸が細くなり液滴の微粒化に有効であるため、本実施の形態１では、隙間通路Ａの高さｈ（図４参照）に対する噴孔３９の長さＹを最適化し、燃料流Ｆ４が噴孔３９内で薄い液膜流３０の状態まで押し付けられるようにしている。これにより、噴射された燃料の液膜流３０は、所定の距離を経て分裂を開始し、液糸の状態を経て微粒化された液滴が生成される。
【００５０】
次に、本実施の形態１に係る燃料噴射弁１において、アクシス−スイッチング現象を利用し、噴霧形状、貫徹力、噴射量分布および噴霧方向を制御する手法について説明する。まず、参考例として、二つの非スイッチング噴霧にコアンダ効果が作用し集合噴霧を形成するまでの挙動について、図６および図７を用いて説明する。なお、コアンダ効果とは、隣接する噴霧との近接化を誘起する効果である。
【００５１】
図６において、（ａ）は二つの非スイッチング噴孔から噴射された非スイッチング噴霧を示す側面図、（ｂ）は（ａ）中、Ｅ−Ｅ、Ｆ−Ｆ、Ｇ−Ｇ、Ｈ−Ｈで示す部分における断面図である。図６（ａ）に示すように、間隔Ｌ１で配置された二つの非スイッチング噴孔３９１から噴射された噴流４ａ、４ｂは、それぞれ非スイッチング噴霧４Ａ、４Ｂとなる。噴流４ａ、４ｂは、液膜流の破断や分裂を経て実質的に噴霧流と見なせるようになる状態のブレークが生じたとき、断面Ｅ−Ｅに示す噴流断面形状である。
【００５２】
この時の非スイッチング噴孔３９１と断面Ｅ−Ｅとの距離をブレーク長さａとする。このブレーク長さａの位置ではすでに、両噴流４ａ、４ｂの隙間ｃ１はコアンダ効果が作用する閾値よりも小さくなっている。続いて、断面Ｆ−Ｆでは、噴流４ａ、４ｂは、分散して単一の非スイッチング噴霧４Ａ、４Ｂとなり、非スイッチング噴孔３９１から距離ｂの位置で、二つの非スイッチング噴霧４Ａ、４Ｂは、その外径が接し始める。
【００５３】
さらに、断面Ｆ−Ｆから、圧力分布に起因して二つの単一の非スイッチング噴霧４Ａ、４Ｂの間にコアンダ効果が作用し、単一の非スイッチング噴霧４Ａ、４Ｂは接近して断面Ｇ−Ｇのように集合化が進む。それと同時に、非スイッチング噴霧４Ａ、４Ｂの周囲空気の巻き込みと、それによる非スイッチング噴霧４Ａ、４Ｂ内の略中心部分の下流への流れ方向に沿った空気流の誘起を生じさせる。
【００５４】
なお、仮に噴流４ａと噴流４ｂ、あるいは非スイッチング噴霧４Ａと非スイッチング噴霧４Ｂとが、各々アクシス−スイッチング現象を生じる素性を保有していた場合でも、アクシス−スイッチング現象が生じる前に、断面Ｅ−Ｅの位置において両噴流４ａ、４ｂの隙間ｃ１はコアンダ効果が作用する閾値よりも小さくなっているため、コアンダ効果が作用して接近し始める。
【００５５】
ここで、周囲空気の巻き込みレベルは、単一の非スイッチング噴霧４Ａ、４Ｂを集合した集合噴霧４０全体の形状を大きく変化させるレベルではない。さらに、条件が整えば、断面Ｇ−Ｇの集合噴霧４０の状態からさらに集合化が進み、断面Ｈ−Ｈのように実質的にほぼ一つの中実の集合噴霧４０とみなされるようになる。
【００５６】
図７は、二つの非スイッチング噴霧がコアンダ効果により集合噴霧を形成するまでの挙動を、周囲空気の巻き込み状況を示す矢印で説明した図であり、（ａ）は二つの非スイッチング噴孔から噴射された非スイッチング噴霧を示す側面図、（ｂ）は（ａ）中、Ｆ−Ｆ、Ｇ１−Ｇ１、Ｇ２−Ｇ２、Ｈ−Ｈで示す部分における断面図である。
【００５７】
図７（ａ）に示すように、周囲空気の巻き込みにより、噴霧内に下流への流れ方向に沿った空気流Ｖが誘起されている。その結果、図７（ｂ）に示すように、Ｆ−Ｆ、Ｇ１−Ｇ１、Ｇ２−Ｇ２、Ｈ−Ｈにおける各噴霧の噴射量分布は、集合噴霧４０の略中心にピークができる。
【００５８】
このように、複数の非スイッチング噴霧４Ａ、４Ｂがコアンダ効果の作用により集合噴霧４０を形成した場合、周囲空気の巻き込みによって噴霧内に下流への流れ方向に沿った空気流が誘起され、貫徹力の抑制が困難となり、噴霧の微粒化や噴霧形状に関しても設計自由度は低くなる。
【００５９】
そこで、本実施の形態１に係る燃料噴射弁１は、基本的に、複数の各噴孔３９から噴射された噴流が下流において各々噴霧となっても、図６に示すような集合噴霧４０にはならず、最終的に各噴霧が独立した状態で全体噴霧６０（図１２および図１３参照）を形成するように設計される。
【００６０】
そのために、複数の噴孔３９は、少なくともスイッチング噴孔３９２により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定される。
【００６１】
さらに、複数の噴孔３９により生成される各噴霧は、少なくともスイッチング噴孔３９２により生成されるスイッチング噴霧がアクシス−スイッチング現象を生じるまでは、隣接する噴霧との近接化を誘起するコアンダ効果が互いに作用しない流速、粒径、および粒子数密度に設定される。
【００６２】
また、スイッチング噴孔３９２は、噴射方向に垂直な面内の断面形状において、短軸に対して長軸が線対称なスイッチング噴霧を生成するように、その噴孔径、長さ、および傾きを含む噴孔仕様が設定される。さらに、本実施の形態１では、スイッチング噴孔３９２は、アクシス−スイッチング現象により長軸と短軸の方向を略９０度変化させるスイッチング噴霧を生成するように噴孔仕様が設定される。
【００６３】
すなわち、本実施の形態１に係る燃料噴射弁１において、隣接する噴霧がコアンダ効果の作用により近接して変形するのは、少なくとも一方がスイッチング噴霧で、且つ、アクシス−スイッチング現象を生じた後のみである。この場合、二つ以上の噴霧の近接化により、噴射方向に垂直な面内の断面形状が非対称な非円形形状の集合噴霧を形成する。
【００６４】
図８は、本実施の形態１に係る燃料噴射弁において、二つの非スイッチング噴孔により生成される各噴霧の挙動を説明する図であり、（ａ）は各噴霧の側面図、（ｂ）は（ａ）中、Ｅ−Ｅ、Ｆ−Ｆ、Ｇ−Ｇで示す部分における断面図である。図８（ａ）に示すように、間隔Ｌ２（Ｌ２＞Ｌ１）で配置された二つの非スイッチング噴孔３９１から噴射された噴流４ａ、４ｃは、それぞれ非スイッチング噴霧４Ａ、４Ｃとなる。
【００６５】
噴流４ａ、４ｃは、液膜流の破断や分裂を経て実質的に噴霧流と見なせるようになる状態のブレークが生じたとき、断面Ｅ−Ｅにおける噴流断面形状である。この時のブレーク長さａの位置では、両噴流４ａ、４ｃの隙間はコアンダ効果が作用する閾値よりも大きい。さらに、断面Ｇ−Ｇにおける両噴霧４Ａ、４Ｃの隙間ｃ２も、コアンダ効果が作用する閾値より大きく、両噴霧４Ａ、４Ｃにはコアンダ効果は作用しない。その結果、両噴霧４Ａ、４Ｃは独立したままでほぼ初期の進行方向に進んでいく。
【００６６】
次に、本実施の形態１に係る燃料噴射弁において、非スイッチング噴孔３９１とスイッチング噴孔３９２が隣り合わせている場合の各噴霧の挙動について説明する。図９は、非スイッチング噴霧とスイッチング噴霧がコアンダ効果により集合噴霧を形成するまでの挙動を示す図であり、（ａ）は各噴霧の側面図、（ｂ）は（ａ）中、Ｅ−Ｅ、Ｆ−Ｆ、・・、Ｍ−Ｍで示す部分における断面図である。
【００６７】
図９（ａ）に示すように、非スイッチング噴孔３９１とスイッチング噴孔３９２は、間隔Ｌ３で配置されている。非スイッチング噴孔３９１から噴射された噴流４ａは、非スイッチング噴霧４Ａとなり、スイッチング噴孔３９２から噴射された噴流５ａは、スイッチング噴霧５Ａとなる。図９において、噴流４ａと噴流５ａのブレーク長さａがほぼ等しいとすると、この時の噴流断面形状は断面Ｅ−Ｅに示すようになる。
【００６８】
断面形状が長円形のスイッチング噴霧５Ａは、アクシス−スイッチング現象が生じる前は、その長軸方向が非スイッチング噴霧４Ａと対向している。スイッチング噴霧５Ａは、非スイッチング噴霧４Ａと対向しつつ、その断面形状が長軸および短軸の両方向に若干拡大しながら、ほぼスイッチング噴孔３９２直下での初期の流れ方向を維持して下流に流れる。
【００６９】
その後、スイッチング噴孔３９２から所定の距離においてアクシス−スイッチング現象が生じ、断面Ｊ−Ｊに示すように、スイッチング噴霧５Ａの長軸と短軸の方向が変化し始める。なお、この位置では、スイッチング噴霧５Ａと非スイッチング噴霧４Ａとの隙間ｃ３は、コアンダ効果が作用する閾値よりも大きく、コアンダ効果は生じていない。
【００７０】
断面Ｊ−Ｊから断面Ｋ−Ｋへと下流になるにつれて、スイッチング噴霧５Ａの長軸と短軸の方向が変化する変形が進み、スイッチング噴霧５Ａと非スイッチング噴霧４Ａが近接してくる。これは、スイッチング噴霧５Ａにアクシス−スイッチング現象が生じたことにより、スイッチング噴霧５Ａと非スイッチング噴霧４Ａの隙間が小さくなり、それに伴いスイッチング噴霧５Ａと非スイッチング噴霧４Ａとの間にコアンダ効果が作用したことによる。
【００７１】
断面Ｋ−Ｋにおいて、スイッチング噴霧５Ａと非スイッチング噴霧４Ａの隙間ｃ４は、コアンダ効果が作用する閾値よりも小さくなっている。断面Ｌ−Ｌでは、スイッチング噴霧５Ａと非スイッチング噴霧４Ａの向かい合う端部が変形、移動して干渉し始める。その結果、断面Ｍ−Ｍにおいて、燃料噴射後の所定時間経過後に、非スイッチング噴孔３９１およびスイッチング噴孔３９２から所定の距離において、スイッチング噴霧５Ａと非スイッチング噴霧４Ａが集合した集合噴霧５０が形成される。この集合噴霧５０の形状や貫徹力、噴射量分布等は、スイッチング噴霧５Ａおよび非スイッチング噴霧４Ａの各特性を変
更することにより、変更することができる。
【００７２】
また、スイッチング噴霧５Ａは、長軸と短軸の方向が変化して変形することによって周囲空気との運動量交換が大きく進み、貫徹力が小さくなる。そのため、非スイッチング噴霧４Ａと干渉することで、非スイッチング噴霧４Ａの各粒子や各粒子に引きずられている空気流の動きに抑制がかかり、非スイッチング噴霧４Ａの貫徹力も抑制される。
【００７３】
図９（ａ）の一点鎖線ｄは、非スイッチング噴霧４Ａが単独の場合の噴霧形状を示している。このように、非スイッチング噴霧４Ａは、スイッチング噴霧５Ａとの干渉によって貫徹力が低下し、その先端の伸びが単独の場合よりも短縮される。
【００７４】
さらに、スイッチング噴霧５Ａは、貫徹力が低下し周囲空気との混合が大幅に進むことにより微粒化が向上し、非スイッチング噴霧４Ａの微粒化レベルとの差が小さくなる。すなわち、非スイッチング噴孔３９１およびスイッチング噴孔３９２から下流の所定距離において微粒化され、断面が非対称な非円形形状の集合噴霧５０を形成することができる。
【００７５】
図９において、スイッチング噴孔３９２を利用しなかった場合、隣り合う噴霧の近接化はさらに下流にならないと始まらず、場合によっては集合化には至らない。従って、各噴霧は拡がり続けるとともに、貫徹力は低下しない。その結果、噴霧が保有する運動量は空気流に移動しにくく微粒化も不十分となる。
【００７６】
また、図９において、二つの噴孔をスイッチング噴孔３９２とし、隣り合う噴霧が互いにスイッチング噴霧５Ａである場合は、それらの長軸が略平行に対向するように設定することにより、アクシス−スイッチング現象によって長軸同士が長手方向に繋がった集合噴霧を形成することができる。
【００７７】
なお、図９では、一つの非スイッチング噴霧４Ａと一つのスイッチング噴霧５Ａとの組み合わせで断面が非対象な集合噴霧５０を形成しているが、集合噴霧が形成されるのはこの組み合わせに限定されるものではない。例えば、二つの非スイッチング噴霧４Ａと一つのスイッチング噴霧５Ａとの組み合わせでもよいし、二つのスイッチング噴霧５Ａであってもよい。
【００７８】
本実施の形態１では、スイッチング噴霧５Ａがアクシス−スイッチング現象により変形する前に、非スイッチング噴霧４Ａとの間でコアンダ効果が作用することを確実に抑制している。その方法としては、スイッチング噴霧５Ａと非スイッチング噴霧４Ａの特性に差を設けて、コアンダ効果が生じるタイミングを遅らせる方法がある。
【００７９】
具体的には、非スイッチング噴孔３９１およびスイッチング噴孔３９２から同じ距離におけるスイッチング噴霧５Ａの平均粒径を非スイッチング噴霧４Ａの平均粒径よりも大きくする方法、あるいはスイッチング噴霧５Ａのブレーク長さを非スイッチング噴霧４Ａのブレーク長さよりも長くする方法、さらにはスイッチング噴霧５Ａの貫徹力を非スイッチング噴霧４Ａの貫徹力よりも大きく設定する方法等がある。
【００８０】
これらの方法を実現するにあたっては、非スイッチング噴孔３９１とスイッチング噴孔３９２との噴孔形状の違いによって、縮流のレベルや方向が変わることを利用することができる。例えば縮流のレベルや方向を異ならせた場合、噴孔３９内での圧力損失（噴流速度）、噴流の断面積、断面形状、配置、および方向等を異ならせることができ、コアンダ効果が作用する隙間の閾値を変更することが可能となる。
【００８１】
また、コアンダ効果が作用する隙間の閾値は、各噴霧の流速、微粒化レベル、粒子数密度、雰囲気圧力等によっても変わるため、これらを調整することにより所望の閾値に設定することができる。
【００８２】
図１０は、非スイッチング噴霧４Ａとスイッチング噴霧５Ａにコアンダ効果が作用しない場合の各噴霧の挙動を示す図であり、（ａ）は各噴霧の側面図、（ｂ）は（ａ）中、Ｅ−Ｅ、Ｆ−Ｆ、・・、Ｌ−Ｌで示す部分における断面図である。図１０（ａ）に示すように、非スイッチング噴孔３９１とスイッチング噴孔３９２は、間隔Ｌ４（Ｌ４＞Ｌ３）で配置されている。非スイッチング噴孔３９１から噴射された噴流４ａは、非スイッチング噴霧４Ａとなり、スイッチング噴孔３９２から噴射された噴流５ｂは、スイッチング噴霧５Ｂとなる。
【００８３】
図１０において、スイッチング噴霧５Ｂは、アクシス−スイッチング現象が生じる前は、その長軸方向が非スイッチング噴霧４Ａと対向しているが、スイッチング噴孔３９２から所定距離において、断面Ｊ−Ｊに示すようにその長軸と短軸の方向が変化し始める。
【００８４】
しかし、非スイッチング噴霧４Ａとスイッチング噴霧５Ａが最も接近する断面Ｌ−Ｌにおいても、それらの隙間ｃ５はコアンダ効果が作用する閾値よりも大きい。このため、両噴霧４Ａ、５Ｂにはコアンダ効果は作用せず、独立したままで、ほぼ初期の進行方向に進んでいく。この時、スイッチング噴霧５Ｂが非スイッチング噴霧４Ａに干渉しないため、非スイッチング噴霧４Ａの貫徹力は抑制されない。
【００８５】
また、複数のスイッチング噴霧５Ａを含む場合、複数のスイッチング噴霧５Ａにアクシス−スイッチング現象が生じた後も、非スイッチング噴霧４Ａから近接化や変形等の影響を受けないようにすることで、複数のスイッチング噴霧５Ａの変形後の形状を安定に保つことができる。さらに、スイッチング噴霧５Ａの短軸に対して長軸が線対称となるようにしているので、アクシス−スイッチング現象を生じた後も線対称な形状となり、点火プラグ近傍に安定して噴霧を停滞させるのに好都合である。
【００８６】
なお、図１０では、スイッチング噴霧５Ａの長軸方向が非スイッチング噴霧４Ａと対向している例について示したが、図１１では、アクシス−スイッチング現象が生じる前のスイッチング噴霧５Ｃの短軸が非スイッチング噴霧４Ａと対向している例について示す。
【００８７】
図１１において、（ａ）は各噴霧の側面図、（ｂ）は（ａ）中、Ｅ−Ｅ、Ｆ−Ｆ、・・、Ｌ−Ｌで示す部分における断面図である。図１１（ａ）に示すように、非スイッチング噴孔３９１とスイッチング噴孔３９２は、間隔Ｌ５で配置されている。非スイッチング噴孔３９１から噴射された噴流４ａは、非スイッチング噴霧４Ａとなり、スイッチング噴孔３９２から噴射された噴流５ｃは、スイッチング噴霧５Ｃとなる。
【００８８】
図１１に示す例では、両噴霧４Ａ、５Ｃが最も接近する断面Ｈ−Ｈにおいても、スイッチング噴霧５Ｃと非スイッチング噴霧４Ａとの隙間は、コアンダ効果が作用する閾値よりも大きく、コアンダ効果は生じていない。さらに、断面Ｊ−Ｊから断面Ｋ−Ｋへと下流になるにつれて、スイッチング噴霧５Ｃの長軸と短軸の方向が変化する変形が進み、スイッチング噴霧５Ｃと非スイッチング噴霧４Ａの隙間はさらに大きくなる。
【００８９】
このため、両噴霧４Ａ、５Ｃにはコアンダ効果は作用せず、両噴霧４Ａ、５Ｃは独立したまま、ほぼ初期の進行方向に進んでいく。この時、スイッチング噴霧５Ｃが非スイッチング噴霧４Ａに干渉しないため、非スイッチング噴霧４Ａの貫徹力は抑制されない。
【００９０】
本実施の形態１に係る燃料噴射弁１により形成される全体噴霧の形状例について、図１２および図１３を用いて説明する。この例では、各噴霧の間にコアンダ効果が作用しない
場合を示している。図１２は、図３に示す噴孔プレート３３の各噴孔３９から噴射された各噴霧により形成された全体噴霧を示しており、（ａ）はスイッチング噴霧がアクシス−スイッチング現象を生じる前、（ｂ）はスイッチング噴霧がアクシス−スイッチング現象を生じた後、の噴射方向に垂直な面内の断面形状をそれぞれ示している。
【００９１】
また、図１３は、図１２に示す全体噴霧を、図１２中、矢印ｘで示す方向から見た場合、すなわち燃料噴射弁１のＺ軸に対して垂直な方向から見た場合を示している。図１３において、（ａ）から（ｄ）は、全体噴霧に至るまでの各噴霧の時系列変化を示している。なお、矢印ｘの方向から見た場合、非スイッチング噴霧４Ａは前後に重なっているため、図１３では前方に位置する非スイッチング噴霧４Ａのみを示している。
【００９２】
図１２に示すように、スイッチング噴孔３９２から所定の距離でスイッチング噴霧５Ａにアクシス−スイッチング現象が生じ、噴射方向に垂直な面内の断面形状における長軸と短軸の方向が変化する。この時、スイッチング噴霧５Ａは、運動量のかなりの割合が空気に移動し、貫徹力が大きく低下する。
【００９３】
一方、各非スイッチング噴霧４Ａは、隣接する非スイッチング噴霧４Ａまたはスイッチング噴霧５Ａと互いに干渉しないため、その貫徹力は抑制されない。このため、各非スイッチング噴霧４Ａは、独立したまま、変形することなく、ほぼ初期の進行方向に進んでいく。最終的には、図１３（ｄ）に示すように、スイッチング噴霧５Ａよりも長い距離まで到達する。
【００９４】
なお、本実施の形態１では、複数の噴孔３９の中にスイッチング噴孔３９２を一つ含む場合について説明したが、スイッチング噴孔３９２は、二つ以上であってもよい。また、スイッチング噴霧の長軸と短軸の方向が９０度変化する場合について説明したが、これに限定されるものではなく、任意の角度に設定することができる。さらに、スイッチング噴霧５Ａの形状は、断面形状がより偏平であってもよい。長軸と短軸の比が大きい噴霧を生成しようとする場合、長軸方向が分断しない範囲で長軸と短軸の方向が変化するように噴孔仕様を設定すればよい。
【００９５】
また、全体噴霧６０の形状は、中空円錐形状のみならず、中実円錐形状、三角形状等、種々のバリエーションを実現することが可能である。さらに、本実施の形態１では、燃料噴射弁１として電磁式の燃料噴射弁を例に挙げて説明したが、駆動源は他の方式でもよく、ピエゾ式、機械式等であっても良い。また、間欠噴射弁、連続噴射弁どちらにも適用することが可能である。
【００９６】
このように、本実施の形態１に係る燃料噴射弁１は、噴孔プレート３３の周方向に配置された複数の噴孔３９が少なくとも一つのスイッチング噴孔３９２を含み、スイッチング噴孔３９２により生成されるスイッチング噴霧は、該噴孔３９２から所定の距離でアクシス−スイッチング現象を生じ、噴射方向に垂直な面内の断面形状において長軸と短軸の方向を変化させるものである。
【００９７】
これにより、全体噴霧６０を形成する各噴霧のうち、少なくとも一つの噴霧の噴射方向に垂直な面内の断面形状を変化させることができ、所望の方向を指向するように制御することが可能となる。また、スイッチング噴霧は、変形によって周囲空気との運動量交換が進み、貫徹力が低下することを利用し、所定距離において噴霧の貫徹力を急速に減衰させることが可能である。また、貫徹力が低下することにより周囲空気との混合が進み、微粒化が向上する。さらに、噴射量分布および噴霧方向は、各噴孔仕様によって設定することができる。
【００９８】
以上のことから、本実施の形態１によれば、複数の噴孔３９により生成される各噴霧のうち、少なくとも一つをスイッチング噴霧５Ａとすることにより、アクシス−スイッチング現象を利用して噴霧方向を制御することが可能となり、噴霧の微粒化と、噴霧形状、貫徹力、および噴射量分布の設計自由度の向上を両立させることが可能となる。
【００９９】
なお、本実施の形態１では、燃料噴射弁１を例に挙げて説明したが、本発明に係る流体噴射弁の用途はこれに限定されるものではない。その他の用途として、塗装、コーティング、農薬散布、洗浄、加湿、スプリンクラー、殺菌用スプレー、冷却等の一般産業用、あるいは農業用、設備用、家庭用、個人用としての各種スプレー等、多岐にわたる。本発明に係る流体噴射弁は、駆動源やノズル形態、噴霧する流体の種類に関わらず、様々な用途の噴霧生成装置に組み入れることが可能である。
【０１００】
実施の形態２．
図１４は、本発明の実施の形態２に係る火花点火式エンジンを模式的に示す図であり、（ａ）は成層燃焼時（ピストン上昇中）、（ｂ）は均質燃焼時（ピストン下降中）の状態を示している。本実施の形態２に係る火花点火式エンジン６は、燃焼室７に燃料を噴射する燃料噴射弁として、上記実施の形態１に係る燃料噴射弁１を備えたものである。
【０１０１】
本実施の形態２に係る火花点火式エンジン６の燃料噴射弁１の構成は、上記実施の形態１と同様であるので詳細な説明は省略するが、燃料が流れる通路の途中に設けられた弁座３２と、弁座３２と当接および離間可能に設けられ通路の開閉を制御する弁体３５と、弁座３２の下流に設けられ複数の噴孔３９を有する噴孔プレート３３を備えている（図１、図３参照）。
【０１０２】
また、複数の噴孔３９の少なくとも一つは、噴射方向に垂直な面内の断面形状において長軸と短軸の長さが異なるスイッチング噴霧５Ａを生成するスイッチング噴孔３９２である。スイッチング噴孔３９２により生成されるスイッチング噴霧５Ａは、該スイッチング噴孔３９２から所定の距離でアクシス−スイッチング現象を生じるように制御され、長軸と短軸の方向を変化させる。
【０１０３】
図１４に示すように、火花点火式エンジン６の燃焼室７には、吸気ポート８と排気ポート９が連通しており、各々の燃焼室７側の開口部には、ピストン１０と連動して開閉する吸気弁１１と排気弁１２が設けられている。また、燃焼室７の天井の略中央部には燃料噴射弁１が配置され、その側方には点火プラグ１３が配置される。なお、燃料噴射弁１および点火プラグ１３の配置は、これに限定されるものではない。
【０１０４】
本実施の形態２では、燃料噴射弁１のスイッチング噴孔３９２により生成されるスイッチング噴霧５Ａは、アクシス−スイッチング現象により点火プラグ１３近傍を指向する噴霧となるように制御される。また、スイッチング噴霧５Ａがアクシス−スイッチング現象を生じるか否かは、燃焼室７内の圧力または空気流動により制御される。
【０１０５】
また、スイッチング噴孔３９２は、短軸に対して長軸が線対称なスイッチング噴霧５Ａを生成するように、その噴孔径、長さ、および傾きを含む噴孔仕様が設定される。これにより、アクシス−スイッチング現象を生じた後も線対称な形状となり、点火プラグ１３近傍に安定して噴霧を停滞させるのに好都合である。
【０１０６】
また、複数の噴孔３９は、少なくともスイッチング噴孔３９２により生成されるスイッチング噴霧５Ａがアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定される。
【０１０７】
さらに、複数の噴孔３９により生成される各噴霧は、少なくともスイッチング噴孔３９２により生成されるスイッチング噴霧５Ａがアクシス−スイッチング現象を生じるまでは、隣接する噴霧との近接化を誘起するコアンダ効果が互いに作用しない流速、粒径、および粒子数密度に設定される。なお、本実施の形態２では、各噴霧は、スイッチング噴霧５Ａがアクシス−スイッチング現象を生じた後も、隣接する噴霧との間でコアンダ効果が作用しないようにしている。
【０１０８】
本発明の実施の形態２に係る火花点火式エンジン６における成層燃焼時と均質燃焼時の全体噴霧の状態について、図１４を用いて説明する。図１４（ａ）に示す成層燃焼時においては、ピストン１０の上昇により燃焼室７の空気が圧縮され、燃焼室７内の圧力が上昇する。
【０１０９】
このため、各非スイッチング噴霧４Ａおよびスイッチング噴霧５Ａの貫徹力は均質燃焼時よりも小さくなる。スイッチング噴霧５Ａは、点火プラグ１３近傍を通過する過程でアクシス−スイッチング現象を生じ、点火プラグ１３近傍を指向する。同時に貫徹力が大幅に低下し、点火プラグ１３近傍を通過した時点で貫徹力を失い、点火プラグ１３近傍で滞留する。
【０１１０】
すなわち、噴射位置から点火プラグ１３近傍までの所望の距離で、スイッチング噴霧５Ａの貫徹力を急減衰させ、点火プラグ１３近傍において所望の濃い混合気を形成することができる。このことは、成層燃焼を成立させるのに好都合である。
【０１１１】
また、各非スイッチング噴霧４Ａは、成層燃焼に適した混合燃焼状態となるように指向させると共に、シリンダライナー１４やピストン１０表面への衝突が抑制されるように貫徹力を設定される。これにより、全体噴霧６０は、シリンダライナー１４やピストン１０表面への衝突を抑制され、且つ、点火プラグ１３近傍に成層燃焼に適した濃い混合気を形成する。
【０１１２】
また、図１４（ｂ）に示す均質燃焼時においては、ピストン１０の下降と共に吸気弁１１が開となるため、タンブル流等の強い空気流動が燃焼室７内に生じる。スイッチング噴霧５Ａは、点火プラグ１３近傍を通過する過程で燃焼室７内の空気流動に追随し、アクシス−スイッチング現象を生じず、燃焼室７内全体に拡散する。
【０１１３】
このように、本実施の形態２に係る火花点火式エンジン６は、成層燃焼時において、点火プラグ１３近傍を指向する噴霧と指向しない噴霧との間に、大きな特性差を設けることができる。点火プラグ１３近傍を指向する噴霧としてスイッチング噴霧５Ａを適用することにより、点火プラグ１３との衝突を避けつつ、点火プラグ１３近傍で成層燃焼に適した混合気を形成することが可能である。また、均質燃焼時においては、点火プラグ１３近傍を通過する過程で空気流動に追随させ、アクシス−スイッチング現象を生じず、燃焼室７全体に拡散させることが可能である。
【０１１４】
以上のように、本実施の形態２によれば、複数の噴孔３９により生成される各噴霧のうち、少なくとも一つをスイッチング噴霧５Ａとすることにより、アクシス−スイッチング現象を利用して点火プラグ１３近傍を指向する噴霧を生成することが可能となり、噴霧の微粒化と、噴霧形状、貫徹力、および噴射量分布の設計自由度の向上を両立させることが可能となる。なお、本発明は、その発明の範囲内において、各実施の形態を自由に組み合わせたり、各実施の形態を適宜、変形、省略したりすることが可能である。
【産業上の利用可能性】
【０１１５】
本発明は、流体噴射弁、特に内燃機関に搭載される燃料噴射弁、およびこれを備えた噴霧生成装置、並びに火花点火式エンジンとして利用することができる。
【符号の説明】
【０１１６】
１  燃料噴射弁、２  ソレノイド装置、３  弁装置、
４ａ、４ｂ、４ｃ、５ａ、５ｂ、５ｃ  噴流、
４Ａ、４Ｂ、４Ｃ  非スイッチング噴霧、５Ａ、５Ｂ、５Ｃ  スイッチング噴霧、
６  火花点火式エンジン、７  燃焼室、８  吸気ポート、９  排気ポート、
１０  ピストン、１１  吸気弁、１２  排気弁、１３  点火プラグ、
１４  シリンダライナー、２１  ハウジング、２２  コア、２３  コイル、
２４  アマチュア、３０  液膜流、３１  弁本体、３２  弁座、３２ａ  弁座面、
３３  噴孔プレート、３４  カバープレート、３４ａ  天面、３４ｂ  薄肉部、
３４ｃ  小径部、３４ｄ  大径部、３５  弁体、３６  圧縮バネ、３７  ロッド、
３８  ボール、３８ａ  面取部、３８ｂ  平面部、３８ｃ  曲面部、３９  噴孔、
４０、５０  集合噴霧、６０全体噴霧、
３９１  非スイッチング噴孔、３９２  スイッチング噴孔。
【図１】
2015078604.tif 000003
【図２】
2015078604.tif 000004
【図３】
2015078604.tif 000005
【図４】
2015078604.tif 000006
【図５】
2015078604.tif 000007
【図６】
2015078604.tif 000008
【図７】
2015078604.tif 000009
【図８】
2015078604.tif 000010
【図９】
2015078604.tif 000011
【図１０】
2015078604.tif 000012
【図１１】
2015078604.tif 000013
【図１２】
2015078604.tif 000014
【図１３】
2015078604.tif 000015
【図１４】
2015078604.tif 000016
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
流体が流れる通路の途中に設けられた弁座と、前記弁座と当接および離間可能に設けられ前記通路の開閉を制御する弁体と、前記弁座の下流に設けられた噴孔体とを備え、前記噴孔体に配置された複数の噴孔から流体を噴射し噴霧を生成する流体噴射弁であって、
前記複数の噴孔は、噴射方向に垂直な面内の断面形状において長軸と短軸の長さが異なるスイッチング噴霧を生成するスイッチング噴孔を少なくとも一つ含み、
前記スイッチング噴孔により生成されるスイッチング噴霧は、該スイッチング噴孔から所定の距離で、前記長軸と前記短軸の方向を変化させることを特徴とする流体噴射弁。
【請求項２】
前記スイッチング噴孔により生成されるスイッチング噴霧は、該スイッチング噴孔から所定の距離でアクシス−スイッチング現象を生じるように制御され、前記長軸と前記短軸の方向を変化させることを特徴とする請求項１記載の流体噴射弁。
【請求項３】
前記スイッチング噴孔は、前記噴孔体の板厚方向に垂直な断面形状が長円形であることを特徴とする請求項１または請求項２に記載の流体噴射弁。
【請求項４】
前記スイッチング噴孔は、前記短軸に対して前記長軸が線対称なスイッチング噴霧を生成するように、その噴孔径、長さ、および傾きを含む噴孔仕様が設定されることを特徴とする請求項１から請求項３のいずれか一項に記載の流体噴射弁。
【請求項５】
前記複数の噴孔は、少なくとも前記スイッチング噴孔により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定されることを特徴とする請求項２に記載の流体噴射弁。
【請求項６】
前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項２または請求項５に記載の流体噴射弁。
【請求項７】
請求項１から請求項６のいずれか一項に記載の流体噴射弁と、前記流体噴射弁に流体を供給する流体供給手段と、前記流体噴射弁の動作を制御する制御手段とを備えたことを特徴とする噴霧生成装置。
【請求項８】
燃焼室内に配置される点火プラグと、前記燃焼室に燃料を噴射する燃料噴射弁とを備えた火花点火式エンジンであって、
前記燃料噴射弁は、燃料が流れる通路の途中に設けられた弁座と、前記弁座と当接および離間可能に設けられ前記通路の開閉を制御する弁体と、前記弁座の下流に設けられた噴孔体とを有し、前記噴孔体に配置された複数の噴孔から燃料を噴射し噴霧を生成するものであり、
前記複数の噴孔は、噴射方向に垂直な面内の断面形状において長軸と短軸の長さが異なるスイッチング噴霧を生成するスイッチング噴孔を少なくとも一つ含み、
前記スイッチング噴孔により生成されるスイッチング噴霧は、該スイッチング噴孔から所定の距離で、前記長軸と前記短軸の方向を変化させることを特徴とする火花点火式エンジン。
【請求項９】
前記スイッチング噴孔により生成されるスイッチング噴霧は、該スイッチング噴孔から所定の距離でアクシス−スイッチング現象を生じるように制御され、前記長軸と前記短軸の方向を変化させることを特徴とする請求項８記載の火花点火式エンジン。
【請求項１０】
前記スイッチング噴孔により生成されるスイッチング噴霧は、アクシス−スイッチング現象により前記点火プラグ近傍を指向する噴霧となるように制御されることを特徴とする請求項９記載の火花点火式エンジン。
【請求項１１】
前記スイッチング噴孔により生成されるスイッチング噴霧は、前記燃焼室内の圧力または空気流動により、アクシス−スイッチング現象を生じるか否かを制御されることを特徴とする請求項９または請求項１０に記載の火花点火式エンジン。
【請求項１２】
前記スイッチング噴孔は、前記短軸に対して前記長軸が線対称なスイッチング噴霧を生成するように、その噴孔径、長さ、および傾きを含む噴孔仕様が設定されることを特徴とする請求項８から請求項１１のいずれか一項に記載の火花点火式エンジン。
【請求項１３】
前記複数の噴孔は、少なくとも前記スイッチング噴孔により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定されることを特徴とする請求項９から請求項１１のいずれか一項に記載の火花点火式エンジン。
【請求項１４】
前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項９または請求項１３に記載の火花点火式エンジン。
【請求項１５】
前記燃焼室において成層燃焼を行う場合、前記スイッチング噴孔により生成されるスイッチング噴霧は、前記点火プラグ近傍を通過する過程でアクシス−スイッチング現象を生じて前記点火プラグ近傍を指向すると共に貫徹力が低下し、前記点火プラグ近傍を通過した時点で貫徹力を失い前記点火プラグ近傍で滞留するように制御されることを特徴とする請求項９から請求項１１のいずれか一項に記載の火花点火式エンジン。
【請求項１６】
前記燃焼室において均質燃焼を行う場合、前記スイッチング噴孔により生成されるスイッチング噴霧は、前記点火プラグ近傍を通過する過程で前記燃焼室内の空気流動に追随し、アクシス−スイッチング現象を生じず前記燃焼室内全体に拡散するように制御されることを特徴とする請求項８から請求項１５のいずれか一項に記載の火花点火式エンジン。 
【手続補正２】
【補正対象書類名】明細書
【補正対象項目名】００２５
【補正方法】変更
【補正の内容】
【００２５】
本発明に係る流体噴射弁は、流体が流れる通路の途中に設けられた弁座と、弁座と当接および離間可能に設けられ通路の開閉を制御する弁体と、弁座の下流に設けられた噴孔体とを備え、噴孔体に配置された複数の噴孔から流体を噴射し噴霧を生成する流体噴射弁であって、複数の噴孔は、噴射方向に垂直な面内の断面形状において長軸と短軸の長さが異なるスイッチング噴霧を生成するスイッチング噴孔を少なくとも一つ含み、スイッチング噴孔により生成されるスイッチング噴霧は、該スイッチング噴孔から所定の距離で、長軸と短軸の方向を変化させるものである。 
【手続補正３】
【補正対象書類名】明細書
【補正対象項目名】００２７
【補正方法】変更
【補正の内容】
【００２７】
また、本発明に係る火花点火式エンジンは、燃焼室内に配置される点火プラグと、燃焼室に燃料を噴射する燃料噴射弁とを備えた火花点火式エンジンであって、燃料噴射弁は、燃料が流れる通路の途中に設けられた弁座と、弁座と当接および離間可能に設けられ通路の開閉を制御する弁体と、弁座の下流に設けられた噴孔体とを有し、噴孔体に配置された複数の噴孔から燃料を噴射し噴霧を生成するものであり、複数の噴孔は、噴射方向に垂直な面内の断面形状において長軸と短軸の長さが異なるスイッチング噴霧を生成するスイッチング噴孔を少なくとも一つ含み、スイッチング噴孔により生成されるスイッチング噴霧は、該スイッチング噴孔から所定の距離で、長軸と短軸の方向を変化させるものである。 
【手続補正４】
【補正対象書類名】明細書
【補正対象項目名】００２８
【補正方法】変更
【補正の内容】
【００２８】
本発明に係る燃料噴射弁およびこれを備えた噴霧生成装置によれば、複数の噴孔により生成される各噴霧のうち、少なくとも一つをスイッチング噴霧とすることにより、噴霧方向を制御することが可能となり、噴霧の微粒化と、噴霧形状、貫徹力、および噴射量分布の設計自由度の向上を両立させることが可能となる。 
【手続補正５】
【補正対象書類名】明細書
【補正対象項目名】００２９
【補正方法】変更
【補正の内容】
【００２９】
また、本発明に係る火花点火式エンジンによれば、複数の噴孔により生成される各噴霧のうち、少なくとも一つをスイッチング噴霧とすることにより、点火プラグ近傍を指向する噴霧を生成することが可能となり、噴霧の微粒化と、噴霧形状、貫徹力、および噴射量分布の設計自由度の向上を両立させることが可能となる。
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
流体が流れる通路の途中に設けられた弁座と、前記弁座と当接および離間可能に設けられ前記通路の開閉を制御する弁体と、前記弁座の下流に設けられた噴孔体とを備え、前記噴孔体に配置された複数の噴孔から流体を噴射し噴霧を生成する流体噴射弁であって、
前記複数の噴孔は、噴射方向に垂直な面内の断面形状において長軸と短軸の長さが異なるスイッチング噴霧を生成するスイッチング噴孔を少なくとも一つ含み、
前記スイッチング噴孔は、前記短軸に対して前記長軸が線対称なスイッチング噴霧を生成するように、その噴孔径、長さ、および傾きを含む噴孔仕様が設定され、前記スイッチング噴孔により生成されるスイッチング噴霧は、該スイッチング噴孔から所定の距離でアクシス−スイッチング現象を生じることにより前記長軸と前記短軸の方向を変化させ、
前記複数の噴孔は、少なくとも前記スイッチング噴孔により生成されるスイッチング噴霧がアクシス−スイッチング現象を生じるまでは、隣接する噴霧との近接化を誘起するコアンダ効果が互いに作用しないように、それらの噴孔径、長さ、および傾きを含む噴孔仕様、およびそれらの間隔が設定されることを特徴とする流体噴射弁。
【請求項２】
前記スイッチング噴孔は、前記噴孔体の板厚方向に垂直な断面形状が長円形であることを特徴とする請求項１記載の流体噴射弁。
【請求項３】
前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項１または請求項２に記載の流体噴射弁。
【請求項４】
燃焼室内に配置される点火プラグと、前記燃焼室に燃料を噴射する燃料噴射弁とを備えた火花点火式エンジンであって、
前記燃料噴射弁は、燃料が流れる通路の途中に設けられた弁座と、前記弁座と当接および離間可能に設けられ前記通路の開閉を制御する弁体と、前記弁座の下流に設けられた噴孔体とを有し、前記噴孔体に配置された複数の噴孔から燃料を噴射し噴霧を生成するものであり、
前記複数の噴孔は、噴射方向に垂直な面内の断面形状において長軸と短軸の長さが異なるスイッチング噴霧を生成するスイッチング噴孔を少なくとも一つ含み、
前記スイッチング噴孔は、前記短軸に対して前記長軸が線対称なスイッチング噴霧を生成するように、その噴孔径、長さ、および傾きを含む噴孔仕様が設定され、前記スイッチング噴孔により生成されるスイッチング噴霧は、該スイッチング噴孔から所定の距離でアクシス−スイッチング現象を生じることにより前記長軸と前記短軸の方向を変化させ、
前記スイッチング噴孔により生成されるスイッチング噴霧がアクシス−スイッチング現象を生じるか否かは、前記燃焼室内の圧力または空気流動により制御されることを特徴とする火花点火式エンジン。
【請求項５】
前記複数の噴孔は、少なくとも前記スイッチング噴孔により生成されるスイッチング噴霧がアクシス−スイッチング現象を生じるまでは、隣接する噴霧との近接化を誘起するコアンダ効果が互いに作用しないように、それらの噴孔径、長さ、および傾きを含む噴孔仕様、およびそれらの間隔が設定されることを特徴とする請求項４記載の火花点火式エンジン。
【請求項６】
前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項４または請求項５に記載の火花点火式エンジン。
【請求項７】
前記スイッチング噴孔により生成されるスイッチング噴霧は、前記燃焼室において均質燃焼を行う時には、前記点火プラグ近傍を通過する過程で前記燃焼室内の空気流動に追随し、アクシス−スイッチング現象を生じずに前記燃焼室内全体に拡散し、前記均質燃焼時よりも前記燃焼室内の圧力が上昇する成層燃焼を行う時には、前記点火プラグ近傍を通過する過程でアクシス−スイッチング現象を生じて前記点火プラグ近傍を指向すると共に貫徹力が低下し、前記点火プラグ近傍を通過した時点で貫徹力を失い前記点火プラグ近傍で滞留することを特徴とする請求項４から請求項６のいずれか一項に記載の火花点火式エンジン。 
【手続補正２】
【補正対象書類名】明細書
【補正対象項目名】全文
【補正方法】変更
【補正の内容】
【発明の詳細な説明】
【技術分野】
【０００１】
本発明は、複数の噴孔から流体を噴射し噴霧を生成する流体噴射弁並びに火花点火式エンジンに関する。
【背景技術】
【０００２】
近年、車両用エンジンにおいては、燃料噴霧の微粒化によるエンジン冷機時の排出ガス低減や、燃焼性改善による燃費向上の研究開発が積極的に進められている。特に、燃焼室内に燃料を直接噴射するマルチホールインジェクタを搭載した火花点火式エンジンにおける成層燃焼コンセプトの研究開発が知られている。
【０００３】
このようなエンジンにおける燃料噴霧は、点火プラグ近傍を指向する噴霧と、点火プラグ近傍を指向しない噴霧とで構成されており、前者は特に点火プラグ付近での成層燃焼を実現し、後者は成層燃焼や均質燃焼での燃焼室内全体の混合気形成を実現する役割をもっている。
【０００４】
燃焼室中心部に点火プラグが装着され、吸気弁を跨いだ位置に燃料噴射弁としてのマルチホールインジェクタが装着される場合、点火プラグとマルチホールインジェクタは対向していない。このため、点火プラグ近傍を指向する噴霧と、点火プラグ近傍を指向しない噴霧とに要求される噴霧仕様は異なってくる。つまり、エンジンの低速低負荷で成層燃焼を行う場合と、高速高負荷で均質燃焼を行う場合とでは、要求される噴霧仕様は異なる。
【０００５】
一方、噴霧の微粒化のプロセスにおいて、液滴を小さくするためには、その分裂の前段階である液糸を細くすることが有効である。液糸を細くするためには、液糸の分裂の前段階である液膜を薄くしたり液柱を細くしたりすることが有効であり、液膜の方がより液柱よりも有利であることが分かっている。また、液膜流形成手法として、噴孔に流入する前の燃料流に旋回流を与えて噴孔内に液膜流を形成する方法が知られている。
【０００６】
本願発明者は、これらの液膜流形成手法や微粒化プロセス、さらに、それらをベースとして複数の単噴霧が集合した集合噴霧の噴霧形状、貫徹力、噴射量分布の出来映えの関係を調査検討した結果、単噴霧が集合した集合噴霧において、次の二つの形態に分けられることを見出している。
【０００７】
一つは、各単噴霧が識別可能であり、かつ各単噴霧の特徴がほぼ識別不可能な集合噴霧になる場合である。これは、比較的均質に近い中実構造の集合噴霧であり、各単噴霧を識別可能ではあるが、集合噴霧と共通的な特徴を示す噴霧となっており、中途半端でコントロールし難い噴霧である。
【０００８】
もう一つは、各単噴霧の識別さえも不可能となる集合噴霧になる場合である。これは、噴射量分布が中心ピークの円錐形状となるものを代表例とする集合噴霧であり、複数の単噴霧が集合してほぼ元の形態とは異なる新しい一つの集合噴霧に置き換わっており、非常に特徴的で安定した現象である。
【０００９】
これらのどちらの形態になるかは、噴霧挙動がある閾値のどちらにあるかによるところが大きい。単噴霧の集合化が進んだ集合噴霧になるほど噴射量分布は軸対称に近づき、また鋭角な円錐形状となり、全体噴霧としての貫徹力が増大する。上記二つの形態のどちらの場合であっても、複数の単噴霧が集合し、噴霧方向に垂直な面内の噴霧形状と噴射量分布がほぼ軸対称になった集合噴霧において、その断面形状を非対象な異形とし、噴霧の一部分を所望の方向に指向させることは難しい。
【００１０】
また、前述したような微粒化手法が燃料噴射弁に適用されつつあるが、微粒化の技術の主流は小噴孔径と多噴孔化であり、隣り合う噴孔からの噴流が互いに干渉して微粒化状態が悪化しないように設計されている。すなわち、噴孔中心軸線あるいは噴流方向が下流になるほど離れていくように、噴孔配置と噴孔径、傾き、および長さ等の噴孔仕様が設定されており、噴霧の微粒化とコンパクトな噴霧は両立しにくい。
【００１１】
噴霧全体の広がりを抑制する手法としては、噴孔中心軸線あるいは噴流方向が噴孔直下で互いに交差するような噴孔配置と噴孔仕様にすることが知られている。しかし、この手法では、噴孔出口から液膜流の破断や分裂を経て実質的に噴霧流と見なせるようになる位置までの長さ（液膜流のブレーク長さ）との関係や微粒化の要件が考慮されていなかった。
【００１２】
一方、噴霧全体の広がりを抑制するために、流体噴射弁の垂直線に対する噴孔中心軸線の角度を相対的に小さくすると、薄い液膜流を形成するのに不利である。従って、微粒化プロセスが遅くなり噴流同士が干渉し易く、微粒化レベルを期待値通りに実現できない。また、前述のように、噴流同士の干渉により複数の単噴霧の集合噴霧が生じた場合、単噴霧の時より貫徹力が大きくなる。
【００１３】
さらに、シリンダライナーへの噴霧衝突軽減や空気との混合促進のために、噴霧の貫徹力を所定距離のところで急速に減衰させる手法が望まれるが、噴霧形態を大きく変えずに実現する手法がなかった。このため、各噴霧が貫徹力を急速に減衰するためには、噴孔出口からの噴流を偏平にする等の方法で噴霧の運動量の減衰を早める必要があるが、その場合、各噴霧出口での噴流の干渉を避けるために、各噴流方向をさらに離す必要があった。
【００１４】
例えば、火花点火式エンジンにおいて噴霧貫徹力の確保と噴霧密度の適度な分散を両立させることを目的とした先行技術として、特許文献１では、主噴孔と、噴射中心が主噴孔の噴射中心と異なる方向を指向する副噴孔とを備え、主噴孔の入口と出口の断面積が異なるように設定することで、噴射量を一定にしたままで噴霧角を広げ、噴霧の燃料密度を分散させたマルチホールインジェクタが提示されている。
【００１５】
また、特許文献２では、噴孔内の燃料の流れる方向に縮小する第１テーパ部においてキャビテーション気泡を発生させ、発生したキャビテーション気泡が崩壊することにより燃料を微粒化させると共に、微粒化された燃料を流れ方向に拡大する第２テーパ部により拡散して貫徹力を低下させるようにした燃料噴射弁が提示されている。
【００１６】
一方、流体工学において、噴孔から噴射された断面形状が長円状の噴霧の長軸と短軸との方向が、下流において変化するアクシス−スイッチング（ａｘｉｓ−ｓｗｉｔｃｈｉｎｇ）現象が知られている（非特許文献１−６）。このアクシス−スイッチング現象は、噴霧の断面形状が長円形状でなくてもよく、少なくとも短軸に対して長軸がほぼ線対称である形状のものであれば成立する。
【先行技術文献】
【特許文献】
【００１７】
【特許文献１】特開２００７−３１５２７６号公報
【特許文献２】特開２０１２−１４５０４８号公報
【非特許文献】
【００１８】
【非特許文献１】日本機械学会論文集（Ｂ編）５５巻５１４号、ｐｐ１５４２−１５４５、「非円形噴流中の渦構造に関する研究」（豊田他）
【非特許文献２】ILASS−Europe２０１０、”An experimental investigation of discharge coefficient and cavitation length in the elliptical nozzles”(Sung Ryoul Kim)
【非特許文献３】生産研究５０巻１号、ｐｐ６９−７２、”Numerical Simulation of Complex Turbulent Jets:Origin of Axis-Switching”(Ayodeji O.DEMUREN)
【非特許文献４】噴流工学、森北出版、ｐｐ４１−４２
【非特許文献５】日本機械学会論文集（第２部）２５巻１５６号、ｐｐ８２０−８２６、「ディーゼル機関燃料噴霧の到達距離に関する研究」（和栗ら）
【非特許文献６】日本機械学会論文集（Ｂ編）６２巻５９９号、ｐｐ２８６７−２８７３「ディーゼル噴霧構造に与える雰囲気粘性の影響」（段ら）
【発明の概要】
【発明が解決しようとする課題】
【００１９】
上記のように、従来技術では、マルチホールインジェクタを搭載した火花点火式エンジンにおいて、点火プラグ近傍を指向する噴霧と点火プラグ近傍を指向せずに全体に拡散する噴霧のそれぞれに要求される噴霧仕様を実現するための設計の自由度が低く、十分に実現することができていなかった。特に、噴霧の微粒化、噴霧形状、および貫徹力は、互いに相関を持つ特性であるが、特許文献１および特許文献２では、それらの影響を考慮していないため、最適な噴霧仕様を実現することはできない。
【００２０】
特許文献１のようなノズルでは、実際には噴孔上流のサック（キャビティ）内部の流れ方によって各噴孔への燃料の流入の仕方が変わることが知られている。すなわち、噴孔入口と出口の断面積を異ならせた場合に、必ずしも噴射量を一定にしたままで噴霧角を広げられるとは限らない。特に、複数の噴孔がインジェクタ中心軸を対称にして配置されていない場合は、各噴孔内の流れパターンは同じとならないことが多いが、特許文献１ではこれらのことが考慮されていない。
【００２１】
特許文献２では、燃料圧力や剥離状況等によるキャビテーションへの影響が示されていないため、微粒化のレベルが不明である。微粒化のレベルが異なれば噴霧全体が保有する運動量も異なり貫徹力にも影響する。特に点火プラグ近傍を指向する噴霧としては、噴霧形状や貫徹力等の設計自由度をより確実に向上させる手法が望まれる。
【００２２】
また、従来の流体噴射弁において、上述のアクシス−スイッチング現象を利用して噴霧の噴射方向に垂直な面内の断面形状を変化させ、噴霧方向を制御したものはなかった。さらに、アクシス−スイッチング現象を利用して全体噴霧の形状、噴霧の微粒化、貫徹力および噴射量分布の設計を行ったものはなかった。
【００２３】
本発明は、上記のような問題点を解決するためになされたものであり、アクシス−スイッチング現象を利用して噴霧方向を制御することを可能とし、噴霧の微粒化と、噴霧形状、貫徹力、および噴射量分布の設計自由度の向上を両立させた流体噴射弁を得ることを目的とする。
【００２４】
また、アクシス−スイッチング現象を利用して点火プラグ近傍を指向する噴霧を生成することを可能とし、噴霧の微粒化と、噴霧形状、貫徹力、および噴射量分布の設計自由度の向上を両立させた火花点火式エンジンを得ることを目的とする。
【課題を解決するための手段】
【００２５】
本発明に係る流体噴射弁は、流体が流れる通路の途中に設けられた弁座と、弁座と当接および離間可能に設けられ通路の開閉を制御する弁体と、弁座の下流に設けられた噴孔体とを備え、噴孔体に配置された複数の噴孔から流体を噴射し噴霧を生成する流体噴射弁であって、複数の噴孔は、噴射方向に垂直な面内の断面形状において長軸と短軸の長さが異なるスイッチング噴霧を生成するスイッチング噴孔を少なくとも一つ含み、スイッチング噴孔は、短軸に対して長軸が線対称なスイッチング噴霧を生成するように、その噴孔径、長さ、および傾きを含む噴孔仕様が設定され、スイッチング噴孔により生成されるスイッチング噴霧は、該スイッチング噴孔から所定の距離でアクシス−スイッチング現象を生じることにより長軸と短軸の方向を変化させ、複数の噴孔は、少なくともスイッチング噴孔により生成されるスイッチング噴霧がアクシス−スイッチング現象を生じるまでは、隣接する噴霧との近接化を誘起するコアンダ効果が互いに作用しないように、それらの噴孔径、長さ、および傾きを含む噴孔仕様、およびそれらの間隔が設定されるものである。
【００２６】
また、本発明に係る火花点火式エンジンは、燃料室内に配置される点火プラグと、燃焼室に燃料を噴射する燃料噴射弁とを備えた火花点火式エンジンであって、燃料噴射弁は、燃料が流れる通路の途中に設けられた弁座と、弁座と当接および離間可能に設けられ通路の開閉を制御する弁体と、弁座の下流に設けられた噴孔体とを有し、噴孔体に配置された複数の噴孔から燃料を噴射し噴霧を生成するものであり、複数の噴孔は、噴射方向に垂直な面内の断面形状において長軸と短軸の長さが異なるスイッチング噴霧を生成するスイッチング噴孔を少なくとも一つ含み、スイッチング噴孔は、短軸に対して長軸が線対称なスイッチング噴霧を生成するように、その噴孔径、長さ、および傾きを含む噴孔仕様が設定され、スイッチング噴孔により生成されるスイッチング噴霧は、該スイッチング噴孔から所定の距離でアクシス−スイッチング現象を生じることにより長軸と短軸の方向を変化させ、スイッチング噴孔により生成されるスイッチング噴霧がアクシス−スイッチング現象を生じるか否かは、燃焼室内の圧力または空気流動により制御されるものである。
【発明の効果】
【００２７】
本発明に係る流体噴射弁によれば、複数の噴孔により生成される各噴霧のうち、少なくとも一つをスイッチング噴霧とすることにより、アクシス−スイッチング現象を利用して噴霧方向を制御することが可能となり、噴霧の微粒化と、噴霧形状、貫徹力、および噴射量分布の設計自由度の向上を両立させることが可能となる。
【００２８】
また、本発明に係る火花点火式エンジンによれば、複数の噴孔により生成される各噴霧のうち、少なくとも一つをスイッチング噴霧とすることにより、アクシス−スイッチング現象を利用して点火プラグ近傍を指向する噴霧を生成することが可能となり、噴霧の微粒化と、噴霧形状、貫徹力、および噴射量分布の設計自由度の向上を両立させることが可能となる。
【図面の簡単な説明】
【００２９】
【図１】本発明の実施の形態１に係る燃料噴射弁を示す断面図である。
【図２】本発明の実施の形態１に係る燃料噴射弁の先端部を示す拡大断面図である。
【図３】本発明の実施の形態１に係る燃料噴射弁の噴孔プレートを示す平面図である。
【図４】本発明の実施の形態１に係る燃料噴射弁の先端部の構造を説明する詳細断面図である。
【図５】本発明の実施の形態１に係る燃料噴射弁の先端部の構造を説明する詳細断面図である。
【図６】参考例として二つの非スイッチング噴霧がコアンダ効果により集合噴霧を形成するまでの挙動を説明する図である。
【図７】参考例として二つの非スイッチング噴霧がコアンダ効果により集合噴霧を形成するまでの挙動を説明する図である。
【図８】本発明の実施の形態１に係る燃料噴射弁において二つの非スイッチング噴霧にコアンダ効果が作用しない場合の挙動を説明する図である。
【図９】本発明の実施の形態１に係る燃料噴射弁において非スイッチング噴霧とスイッチング噴霧にコアンダ効果が作用した場合の挙動を説明する図である。
【図１０】本発明の実施の形態１に係る燃料噴射弁において非スイッチング噴霧とスイッチング噴霧にコアンダ効果が作用しない場合の挙動を説明する図である。
【図１１】本発明の実施の形態１に係る燃料噴射弁において非スイッチング噴霧とスイッチング噴霧にコアンダ効果が作用しない場合の挙動を説明する図である。
【図１２】本発明の実施の形態１に係る燃料噴射弁において形成される全体噴霧の例を説明する図である。
【図１３】本発明の実施の形態１に係る燃料噴射弁において各噴霧が全体噴霧に至るまでを時系列で示す図である。
【図１４】本発明の実施の形態２に係る火花点火式エンジンを説明する図である。
【発明を実施するための形態】
【００３０】
実施の形態１．
以下に、本発明の実施の形態１に係る流体噴射弁および噴霧生成装置について、図面に基づいて説明する。図１は、本実施の形態１に係る燃料噴射弁を示す断面図、図２は、本実施の形態１に係る燃料噴射弁の先端部を示す拡大断面図である。なお、図中、同一、相当部分には同一符号を付している。
【００３１】
本実施の形態１に係る噴霧生成装置は、流体噴射弁である燃料噴射弁１と、燃料噴射弁１に燃料を供給する燃料供給手段（図示省略）、および燃料噴射弁１の動作を制御する制御手段である制御装置（図示省略）とを備えている。以下の説明では、内燃機関のシリンダヘッドに取り付けられ、燃料を噴射する先端部が内燃機関の筒内に臨むよう配置された燃料噴射弁１を例に挙げて説明する。
【００３２】
燃料噴射弁１は、電磁力を発生するソレノイド装置２と、ソレノイド装置２への通電により作動する弁装置３を備えている。ソレノイド装置２は、磁気回路のヨーク部分をなすハウジング２１と、このハウジング２１の内側に設けられた固定鉄心であるコア２２と、コア２２を囲うように設けられたコイル２３と、コイル２３の内側に設けられ往復移動する可動鉄心であるアマチュア２４を備えている。
【００３３】
弁装置３は、円筒形状であってコア２２の先端部の外径部に圧入、溶接された弁本体３１と、弁本体３１の内部の燃料が流れる通路の途中に設けられた弁座３２を備えている。弁座３２の下流には、燃料を噴射する複数の噴孔３９を有する噴孔体である噴孔プレート３３と、弁座３２の内部で噴孔プレート３３の上流に設けられたカバープレート３４と、弁本体３１の内側に弁座３２と当接および離間可能に設けられ通路の開閉を制御する弁体３５と、弁体３５の上流に設けられた圧縮バネ３６を備えている。
【００３４】
弁体３５は、アマチュア２４の内面に圧入、溶接された中空のロッド３７と、ロッド３７の先端部に溶接で固定されたボール３８を有している。ボール３８は、燃料噴射弁１のＺ軸（図１中、矢印で示す）に平行な面取部３８ａと、カバープレート３４と対向する平面部３８ｂと、弁座３２と線接触する曲面部３８ｃとを有している。
【００３５】
噴孔プレート３３は、周縁部が下側に折曲されており、弁座３２の先端面および弁本体３１の内周側面に溶接されている。噴孔プレート３３には、板厚方向に貫通する複数の噴孔３９が形成されている。図３は、噴孔プレート３３を弁本体３１内側から見た平面図である。噴孔プレート３３には、複数の噴孔３９が周方向に配置されている。
【００３６】
複数の噴孔３９は、噴孔プレート３３の板厚方向に垂直な断面形状が円形の非スイッチング噴孔３９１と、長円形のスイッチング噴孔３９２を含んで構成されている。スイッチング噴孔３９２は、長円の長軸が、非スイッチング噴孔３９１との間隔を小さくする方向に配置されている。
【００３７】
非スイッチング噴孔３９１から噴射された燃料の噴流は、所定の距離（ブレーク長さ）下流に進むと、噴射方向に垂直な面内の断面形状が円形の非スイッチング噴霧を生成する。また、スイッチング噴孔３９２から噴射された噴流は、所定の距離（ブレーク長さ）下流に進むと、噴射方向に垂直な面内の断面形状において長軸と短軸の長さが異なるスイッチング噴霧を生成する。
【００３８】
スイッチング噴孔３９２により生成されるスイッチング噴霧は、該スイッチング噴孔３９２から所定の距離でアクシス−スイッチング現象を生じるように制御され、長軸と短軸の方向を変化させる。なお、各噴霧の挙動については後に詳細に説明する。
【００３９】
次に、燃料噴射弁１の動作について説明する。内燃機関の制御装置より燃料噴射弁１の駆動回路に動作信号が送られると、燃料噴射弁１のコイル２３に電流が通電され、アマチュア２４はコア２２側へ吸引される。この結果、アマチュア２４と一体構造であるロッド３７およびボール３８は、圧縮バネ３６の弾性力に逆らって上方向に移動し、ボール３８の曲面部３８ｃが弁座面３２ａから離間し、両者に間隙が形成されて通路が形成され、吸気ポートに指向した燃料噴射が開始される。
【００４０】
一方、内燃機関の制御装置より燃料噴射弁１の駆動回路に動作の停止信号が送られると、コイル２３への通電が停止し、アマチュア２４がコア２２側に吸引される力は消失し、ロッド３７は、圧縮バネ３６の弾性力によって弁座３２側に押され、ボール３８の曲面部３８ｃと弁座面３２ａとは閉状態となり、燃料噴射はこの時点で終了する。
【００４１】
ここで、例えば縮流によって噴孔３９内の流れを液膜流とする噴孔プレート３３とカバープレート３４、および弁座３２、ボール３８の詳細な構造と位置について、図２、図４および図５の各詳細断面図を用いて説明する。ここで説明する噴孔３９は、非スイッチング噴孔３９１とスイッチング噴孔３９２のどちらであってもよい。なお、図４において、Ｘは噴孔３９の径、Ｙは噴孔３９の長さを示している。
【００４２】
燃料は、弁体３５の開弁時においてボール３８の面取部３８ａと弁座３２の内面との間のＺ軸に平行な通路から、ボール３８の曲面部３８ｃと弁座面３２ａとの間を下流へ向かい、弁座シート部Ｒ１に至る。弁座シート部Ｒ１の上流では燃料がＺ軸に平行に流れるため、燃料は、弁座シート部Ｒ１を通過した後においては慣性により弁座面３２ａに沿う流れが主流となり、弁座面３２ａの下流端の点Ｐ１に達する。
【００４３】
点Ｐ１は弁座面３２ａの終端であり、弁座３２は、点Ｐ１から下流側は垂直方向に延びた面を有している。従って、燃料の主流は、点Ｐ１から剥離する。弁座面３２ａの延長線は、カバープレート３４の周側面と点Ｐ２で交わっており、点Ｐ１から剥離した燃料は、点Ｐ２に向かい環状通路Ｃ（弁座３２の内周壁面とカバープレート３４の大径部３４ｄの周側面との間）を通過して、径方向に大幅な進路変更を伴わずに径方向通路Ｂ（弁座３２の内周壁面とカバープレート３４の小径部３４ｃの周側面との間）に流入する。
【００４４】
なお、弁座シート部Ｒ１を通過する燃料の主流は、環状通路Ｃに流入するため、隙間通路Ａ（ボール３８の底面とカバープレート３４の天面３４ａとの間）への流入は抑制される。シート部Ｒ１と噴孔３９の入口の点Ｐ３とを直線で結んだ線は、カバープレート３４の大径部である薄肉部３４ｂで交叉している。すなわち薄肉部３４ｂは、弁座シート部Ｒ１から噴孔３９の入口への燃料の直線的な流入を遮っている。
【００４５】
このため、噴孔３９に流入する燃料の少なくとも一部は、径方向通路Ｂに沿う流れとなる。カバープレート３４は、その小径部３４ｃが噴孔３９よりも内径側で噴孔３９に近接して配置されている。従って、径方向通路Ｂに沿って内径側に向かう燃料の正面流れＦ１は、燃料噴射弁１のＺ軸から噴孔３９に流入する戻り流れＦ２の流路を閉塞させ、戻り流れＦ２の速度を低下させる。戻り流れＦ２が抑制されることで、弁座シート部Ｒ１側から噴孔３９に流入する正面流れＦ１の速度が相対的に強められる。
【００４６】
正面流れＦ１の少なくとも一部が、径方向通路Ｂに沿って進行した後に噴孔３９内で大幅な方向変化を強制されること、および正面流れＦ１が高速であることから、燃料は、噴孔３９の断面において、燃料噴射弁１のＺ軸側の噴孔３９の壁面に強く押し付けられる。その後、図５に示すように、噴孔３９の入口では、低速な戻り流れＦ２は、噴孔３９の壁面に沿って流れＦ３を形成し、高速な正面流れＦ１は、燃料を壁面に押し付ける燃料流Ｆ４を形成する。
【００４７】
また、噴孔３９の出口から導入される空気の流れＦ５が燃料流Ｆ４に作用し、点Ｐ４（噴孔３９の燃料入口の外側の縁部）を起点とした燃料流Ｆ４の剥離を生じさせる。燃料流Ｆ４は、噴孔３９内を進行するに伴い壁面に押し付けられ、液膜の方向は、噴孔３９の壁面の円周方向に広がりつつ噴孔３９の壁面に沿う方向に変化していく。
【００４８】
前述のように、液膜が薄いほど液糸が細くなり液滴の微粒化に有効であるため、本実施の形態１では、隙間通路Ａの高さｈ（図４参照）に対する噴孔３９の長さＹを最適化し、燃料流Ｆ４が噴孔３９内で薄い液膜流３０の状態まで押し付けられるようにしている。これにより、噴射された燃料の液膜流３０は、所定の距離を経て分裂を開始し、液糸の状態を経て微粒化された液滴が生成される。
【００４９】
次に、本実施の形態１に係る燃料噴射弁１において、アクシス−スイッチング現象を利用し、噴霧形状、貫徹力、噴射量分布および噴霧方向を制御する手法について説明する。まず、参考例として、二つの非スイッチング噴霧にコアンダ効果が作用し集合噴霧を形成するまでの挙動について、図６および図７を用いて説明する。なお、コアンダ効果とは、隣接する噴霧との近接化を誘起する効果である。
【００５０】
図６において、（ａ）は二つの非スイッチング噴孔から噴射された非スイッチング噴霧を示す側面図、（ｂ）は（ａ）中、Ｅ−Ｅ、Ｆ−Ｆ、Ｇ−Ｇ、Ｈ−Ｈで示す部分における断面図である。図６（ａ）に示すように、間隔Ｌ１で配置された二つの非スイッチング噴孔３９１から噴射された噴流４ａ、４ｂは、それぞれ非スイッチング噴霧４Ａ、４Ｂとなる。噴流４ａ、４ｂは、液膜流の破断や分裂を経て実質的に噴霧流と見なせるようになる状態のブレークが生じたとき、断面Ｅ−Ｅに示す噴流断面形状である。
【００５１】
この時の非スイッチング噴孔３９１と断面Ｅ−Ｅとの距離をブレーク長さａとする。このブレーク長さａの位置ではすでに、両噴流４ａ、４ｂの隙間ｃ１はコアンダ効果が作用する閾値よりも小さくなっている。続いて、断面Ｆ−Ｆでは、噴流４ａ、４ｂは、分散して単一の非スイッチング噴霧４Ａ、４Ｂとなり、非スイッチング噴孔３９１から距離ｂの位置で、二つの非スイッチング噴霧４Ａ、４Ｂは、その外径が接し始める。
【００５２】
さらに、断面Ｆ−Ｆから、圧力分布に起因して二つの単一の非スイッチング噴霧４Ａ、４Ｂの間にコアンダ効果が作用し、単一の非スイッチング噴霧４Ａ、４Ｂは接近して断面Ｇ−Ｇのように集合化が進む。それと同時に、非スイッチング噴霧４Ａ、４Ｂの周囲空気の巻き込みと、それによる非スイッチング噴霧４Ａ、４Ｂ内の略中心部分の下流への流れ方向に沿った空気流の誘起を生じさせる。
【００５３】
なお、仮に噴流４ａと噴流４ｂ、あるいは非スイッチング噴霧４Ａと非スイッチング噴霧４Ｂとが、各々アクシス−スイッチング現象を生じる素性を保有していた場合でも、アクシス−スイッチング現象が生じる前に、断面Ｅ−Ｅの位置において両噴流４ａ、４ｂの隙間ｃ１はコアンダ効果が作用する閾値よりも小さくなっているため、コアンダ効果が作用して接近し始める。
【００５４】
ここで、周囲空気の巻き込みレベルは、単一の非スイッチング噴霧４Ａ、４Ｂを集合した集合噴霧４０全体の形状を大きく変化させるレベルではない。さらに、条件が整えば、断面Ｇ−Ｇの集合噴霧４０の状態からさらに集合化が進み、断面Ｈ−Ｈのように実質的にほぼ一つの中実の集合噴霧４０とみなされるようになる。
【００５５】
図７は、二つの非スイッチング噴霧がコアンダ効果により集合噴霧を形成するまでの挙動を、周囲空気の巻き込み状況を示す矢印で説明した図であり、（ａ）は二つの非スイッチング噴孔から噴射された非スイッチング噴霧を示す側面図、（ｂ）は（ａ）中、Ｆ−Ｆ、Ｇ１−Ｇ１、Ｇ２−Ｇ２、Ｈ−Ｈで示す部分における断面図である。
【００５６】
図７（ａ）に示すように、周囲空気の巻き込みにより、噴霧内に下流への流れ方向に沿った空気流Ｖが誘起されている。その結果、図７（ｂ）に示すように、Ｆ−Ｆ、Ｇ１−Ｇ１、Ｇ２−Ｇ２、Ｈ−Ｈにおける各噴霧の噴射量分布は、集合噴霧４０の略中心にピークができる。
【００５７】
このように、複数の非スイッチング噴霧４Ａ、４Ｂがコアンダ効果の作用により集合噴霧４０を形成した場合、周囲空気の巻き込みによって噴霧内に下流への流れ方向に沿った空気流が誘起され、貫徹力の抑制が困難となり、噴霧の微粒化や噴霧形状に関しても設計自由度は低くなる。
【００５８】
そこで、本実施の形態１に係る燃料噴射弁１は、基本的に、複数の各噴孔３９から噴射された噴流が下流において各々噴霧となっても、図６に示すような集合噴霧４０にはならず、最終的に各噴霧が独立した状態で全体噴霧６０（図１２および図１３参照）を形成するように設計される。
【００５９】
そのために、複数の噴孔３９は、少なくともスイッチング噴孔３９２により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定される。
【００６０】
さらに、複数の噴孔３９により生成される各噴霧は、少なくともスイッチング噴孔３９２により生成されるスイッチング噴霧がアクシス−スイッチング現象を生じるまでは、隣接する噴霧との近接化を誘起するコアンダ効果が互いに作用しない流速、粒径、および粒子数密度に設定される。
【００６１】
また、スイッチング噴孔３９２は、噴射方向に垂直な面内の断面形状において、短軸に対して長軸が線対称なスイッチング噴霧を生成するように、その噴孔径、長さ、および傾きを含む噴孔仕様が設定される。さらに、本実施の形態１では、スイッチング噴孔３９２は、アクシス−スイッチング現象により長軸と短軸の方向を略９０度変化させるスイッチング噴霧を生成するように噴孔仕様が設定される。
【００６２】
すなわち、本実施の形態１に係る燃料噴射弁１において、隣接する噴霧がコアンダ効果の作用により近接して変形するのは、少なくとも一方がスイッチング噴霧で、且つ、アクシス−スイッチング現象を生じた後のみである。この場合、二つ以上の噴霧の近接化により、噴射方向に垂直な面内の断面形状が非対称な非円形形状の集合噴霧を形成する。
【００６３】
図８は、本実施の形態１に係る燃料噴射弁において、二つの非スイッチング噴孔により生成される各噴霧の挙動を説明する図であり、（ａ）は各噴霧の側面図、（ｂ）は（ａ）中、Ｅ−Ｅ、Ｆ−Ｆ、Ｇ−Ｇで示す部分における断面図である。図８（ａ）に示すように、間隔Ｌ２（Ｌ２＞Ｌ１）で配置された二つの非スイッチング噴孔３９１から噴射された噴流４ａ、４ｃは、それぞれ非スイッチング噴霧４Ａ、４Ｃとなる。
【００６４】
噴流４ａ、４ｃは、液膜流の破断や分裂を経て実質的に噴霧流と見なせるようになる状態のブレークが生じたとき、断面Ｅ−Ｅにおける噴流断面形状である。この時のブレーク長さａの位置では、両噴流４ａ、４ｃの隙間はコアンダ効果が作用する閾値よりも大きい。さらに、断面Ｇ−Ｇにおける両噴霧４Ａ、４Ｃの隙間ｃ２も、コアンダ効果が作用する閾値より大きく、両噴霧４Ａ、４Ｃにはコアンダ効果は作用しない。その結果、両噴霧４Ａ、４Ｃは独立したままでほぼ初期の進行方向に進んでいく。
【００６５】
次に、本実施の形態１に係る燃料噴射弁において、非スイッチング噴孔３９１とスイッチング噴孔３９２が隣り合わせている場合の各噴霧の挙動について説明する。図９は、非スイッチング噴霧とスイッチング噴霧がコアンダ効果により集合噴霧を形成するまでの挙動を示す図であり、（ａ）は各噴霧の側面図、（ｂ）は（ａ）中、Ｅ−Ｅ、Ｆ−Ｆ、・・、Ｍ−Ｍで示す部分における断面図である。
【００６６】
図９（ａ）に示すように、非スイッチング噴孔３９１とスイッチング噴孔３９２は、間隔Ｌ３で配置されている。非スイッチング噴孔３９１から噴射された噴流４ａは、非スイッチング噴霧４Ａとなり、スイッチング噴孔３９２から噴射された噴流５ａは、スイッチング噴霧５Ａとなる。図９において、噴流４ａと噴流５ａのブレーク長さａがほぼ等しいとすると、この時の噴流断面形状は断面Ｅ−Ｅに示すようになる。
【００６７】
断面形状が長円形のスイッチング噴霧５Ａは、アクシス−スイッチング現象が生じる前は、その長軸方向が非スイッチング噴霧４Ａと対向している。スイッチング噴霧５Ａは、非スイッチング噴霧４Ａと対向しつつ、その断面形状が長軸および短軸の両方向に若干拡大しながら、ほぼスイッチング噴孔３９２直下での初期の流れ方向を維持して下流に流れる。
【００６８】
その後、スイッチング噴孔３９２から所定の距離においてアクシス−スイッチング現象が生じ、断面Ｊ−Ｊに示すように、スイッチング噴霧５Ａの長軸と短軸の方向が変化し始める。なお、この位置では、スイッチング噴霧５Ａと非スイッチング噴霧４Ａとの隙間ｃ３は、コアンダ効果が作用する閾値よりも大きく、コアンダ効果は生じていない。
【００６９】
断面Ｊ−Ｊから断面Ｋ−Ｋへと下流になるにつれて、スイッチング噴霧５Ａの長軸と短軸の方向が変化する変形が進み、スイッチング噴霧５Ａと非スイッチング噴霧４Ａが近接してくる。これは、スイッチング噴霧５Ａにアクシス−スイッチング現象が生じたことにより、スイッチング噴霧５Ａと非スイッチング噴霧４Ａの隙間が小さくなり、それに伴いスイッチング噴霧５Ａと非スイッチング噴霧４Ａとの間にコアンダ効果が作用したことによる。
【００７０】
断面Ｋ−Ｋにおいて、スイッチング噴霧５Ａと非スイッチング噴霧４Ａの隙間ｃ４は、コアンダ効果が作用する閾値よりも小さくなっている。断面Ｌ−Ｌでは、スイッチング噴霧５Ａと非スイッチング噴霧４Ａの向かい合う端部が変形、移動して干渉し始める。その結果、断面Ｍ−Ｍにおいて、燃料噴射後の所定時間経過後に、非スイッチング噴孔３９１およびスイッチング噴孔３９２から所定の距離において、スイッチング噴霧５Ａと非スイッチング噴霧４Ａが集合した集合噴霧５０が形成される。この集合噴霧５０の形状や貫徹力、噴射量分布等は、スイッチング噴霧５Ａおよび非スイッチング噴霧４Ａの各特性を変更することにより、変更することができる。
【００７１】
また、スイッチング噴霧５Ａは、長軸と短軸の方向が変化して変形することによって周囲空気との運動量交換が大きく進み、貫徹力が小さくなる。そのため、非スイッチング噴霧４Ａと干渉することで、非スイッチング噴霧４Ａの各粒子や各粒子に引きずられている空気流の動きに抑制がかかり、非スイッチング噴霧４Ａの貫徹力も抑制される。
【００７２】
図９（ａ）の一点鎖線ｄは、非スイッチング噴霧４Ａが単独の場合の噴霧形状を示している。このように、非スイッチング噴霧４Ａは、スイッチング噴霧５Ａとの干渉によって貫徹力が低下し、その先端の伸びが単独の場合よりも短縮される。
【００７３】
さらに、スイッチング噴霧５Ａは、貫徹力が低下し周囲空気との混合が大幅に進むことにより微粒化が向上し、非スイッチング噴霧４Ａの微粒化レベルとの差が小さくなる。すなわち、非スイッチング噴孔３９１およびスイッチング噴孔３９２から下流の所定距離において微粒化され、断面が非対称な非円形形状の集合噴霧５０を形成することができる。
【００７４】
図９において、スイッチング噴孔３９２を利用しなかった場合、隣り合う噴霧の近接化はさらに下流にならないと始まらず、場合によっては集合化には至らない。従って、各噴霧は拡がり続けるとともに、貫徹力は低下しない。その結果、噴霧が保有する運動量は空気流に移動しにくく微粒化も不十分となる。
【００７５】
また、図９において、二つの噴孔をスイッチング噴孔３９２とし、隣り合う噴霧が互いにスイッチング噴霧５Ａである場合は、それらの長軸が略平行に対向するように設定することにより、アクシス−スイッチング現象によって長軸同士が長手方向に繋がった集合噴霧を形成することができる。
【００７６】
なお、図９では、一つの非スイッチング噴霧４Ａと一つのスイッチング噴霧５Ａとの組み合わせで断面が非対象な集合噴霧５０を形成しているが、集合噴霧が形成されるのはこの組み合わせに限定されるものではない。例えば、二つの非スイッチング噴霧４Ａと一つのスイッチング噴霧５Ａとの組み合わせでもよいし、二つのスイッチング噴霧５Ａであってもよい。
【００７７】
本実施の形態１では、スイッチング噴霧５Ａがアクシス−スイッチング現象により変形する前に、非スイッチング噴霧４Ａとの間でコアンダ効果が作用することを確実に抑制している。その方法としては、スイッチング噴霧５Ａと非スイッチング噴霧４Ａの特性に差を設けて、コアンダ効果が生じるタイミングを遅らせる方法がある。
【００７８】
具体的には、非スイッチング噴孔３９１およびスイッチング噴孔３９２から同じ距離におけるスイッチング噴霧５Ａの平均粒径を非スイッチング噴霧４Ａの平均粒径よりも大きくする方法、あるいはスイッチング噴霧５Ａのブレーク長さを非スイッチング噴霧４Ａのブレーク長さよりも長くする方法、さらにはスイッチング噴霧５Ａの貫徹力を非スイッチング噴霧４Ａの貫徹力よりも大きく設定する方法等がある。
【００７９】
これらの方法を実現するにあたっては、非スイッチング噴孔３９１とスイッチング噴孔３９２との噴孔形状の違いによって、縮流のレベルや方向が変わることを利用することができる。例えば縮流のレベルや方向を異ならせた場合、噴孔３９内での圧力損失（噴流速度）、噴流の断面積、断面形状、配置、および方向等を異ならせることができ、コアンダ効果が作用する隙間の閾値を変更することが可能となる。
【００８０】
また、コアンダ効果が作用する隙間の閾値は、各噴霧の流速、微粒化レベル、粒子数密度、雰囲気圧力等によっても変わるため、これらを調整することにより所望の閾値に設定することができる。
【００８１】
図１０は、非スイッチング噴霧４Ａとスイッチング噴霧５Ａにコアンダ効果が作用しない場合の各噴霧の挙動を示す図であり、（ａ）は各噴霧の側面図、（ｂ）は（ａ）中、Ｅ−Ｅ、Ｆ−Ｆ、・・、Ｌ−Ｌで示す部分における断面図である。図１０（ａ）に示すように、非スイッチング噴孔３９１とスイッチング噴孔３９２は、間隔Ｌ４（Ｌ４＞Ｌ３）で配置されている。非スイッチング噴孔３９１から噴射された噴流４ａは、非スイッチング噴霧４Ａとなり、スイッチング噴孔３９２から噴射された噴流５ｂは、スイッチング噴霧５Ｂとなる。
【００８２】
図１０において、スイッチング噴霧５Ｂは、アクシス−スイッチング現象が生じる前は、その長軸方向が非スイッチング噴霧４Ａと対向しているが、スイッチング噴孔３９２から所定距離において、断面Ｊ−Ｊに示すようにその長軸と短軸の方向が変化し始める。
【００８３】
しかし、非スイッチング噴霧４Ａとスイッチング噴霧５Ａが最も接近する断面Ｌ−Ｌにおいても、それらの隙間ｃ５はコアンダ効果が作用する閾値よりも大きい。このため、両噴霧４Ａ、５Ｂにはコアンダ効果は作用せず、独立したままで、ほぼ初期の進行方向に進んでいく。この時、スイッチング噴霧５Ｂが非スイッチング噴霧４Ａに干渉しないため、非スイッチング噴霧４Ａの貫徹力は抑制されない。
【００８４】
また、複数のスイッチング噴霧５Ａを含む場合、複数のスイッチング噴霧５Ａにアクシス−スイッチング現象が生じた後も、非スイッチング噴霧４Ａから近接化や変形等の影響を受けないようにすることで、複数のスイッチング噴霧５Ａの変形後の形状を安定に保つことができる。さらに、スイッチング噴霧５Ａの短軸に対して長軸が線対称となるようにしているので、アクシス−スイッチング現象を生じた後も線対称な形状となり、点火プラグ近傍に安定して噴霧を停滞させるのに好都合である。
【００８５】
なお、図１０では、スイッチング噴霧５Ａの長軸方向が非スイッチング噴霧４Ａと対向している例について示したが、図１１では、アクシス−スイッチング現象が生じる前のスイッチング噴霧５Ｃの短軸が非スイッチング噴霧４Ａと対向している例について示す。
【００８６】
図１１において、（ａ）は各噴霧の側面図、（ｂ）は（ａ）中、Ｅ−Ｅ、Ｆ−Ｆ、・・、Ｌ−Ｌで示す部分における断面図である。図１１（ａ）に示すように、非スイッチング噴孔３９１とスイッチング噴孔３９２は、間隔Ｌ５で配置されている。非スイッチング噴孔３９１から噴射された噴流４ａは、非スイッチング噴霧４Ａとなり、スイッチング噴孔３９２から噴射された噴流５ｃは、スイッチング噴霧５Ｃとなる。
【００８７】
図１１に示す例では、両噴霧４Ａ、５Ｃが最も接近する断面Ｈ−Ｈにおいても、スイッチング噴霧５Ｃと非スイッチング噴霧４Ａとの隙間は、コアンダ効果が作用する閾値よりも大きく、コアンダ効果は生じていない。さらに、断面Ｊ−Ｊから断面Ｋ−Ｋへと下流になるにつれて、スイッチング噴霧５Ｃの長軸と短軸の方向が変化する変形が進み、スイッチング噴霧５Ｃと非スイッチング噴霧４Ａの隙間はさらに大きくなる。
【００８８】
このため、両噴霧４Ａ、５Ｃにはコアンダ効果は作用せず、両噴霧４Ａ、５Ｃは独立したまま、ほぼ初期の進行方向に進んでいく。この時、スイッチング噴霧５Ｃが非スイッチング噴霧４Ａに干渉しないため、非スイッチング噴霧４Ａの貫徹力は抑制されない。
【００８９】
本実施の形態１に係る燃料噴射弁１により形成される全体噴霧の形状例について、図１２および図１３を用いて説明する。この例では、各噴霧の間にコアンダ効果が作用しない場合を示している。図１２は、図３に示す噴孔プレート３３の各噴孔３９から噴射された各噴霧により形成された全体噴霧を示しており、（ａ）はスイッチング噴霧がアクシス−スイッチング現象を生じる前、（ｂ）はスイッチング噴霧がアクシス−スイッチング現象を生じた後、の噴射方向に垂直な面内の断面形状をそれぞれ示している。
【００９０】
また、図１３は、図１２に示す全体噴霧を、図１２中、矢印ｘで示す方向から見た場合、すなわち燃料噴射弁１のＺ軸に対して垂直な方向から見た場合を示している。図１３において、（ａ）から（ｄ）は、全体噴霧に至るまでの各噴霧の時系列変化を示している。なお、矢印ｘの方向から見た場合、非スイッチング噴霧４Ａは前後に重なっているため、図１３では前方に位置する非スイッチング噴霧４Ａのみを示している。
【００９１】
図１２に示すように、スイッチング噴孔３９２から所定の距離でスイッチング噴霧５Ａにアクシス−スイッチング現象が生じ、噴射方向に垂直な面内の断面形状における長軸と短軸の方向が変化する。この時、スイッチング噴霧５Ａは、運動量のかなりの割合が空気に移動し、貫徹力が大きく低下する。
【００９２】
一方、各非スイッチング噴霧４Ａは、隣接する非スイッチング噴霧４Ａまたはスイッチング噴霧５Ａと互いに干渉しないため、その貫徹力は抑制されない。このため、各非スイッチング噴霧４Ａは、独立したまま、変形することなく、ほぼ初期の進行方向に進んでいく。最終的には、図１３（ｄ）に示すように、スイッチング噴霧５Ａよりも長い距離まで到達する。
【００９３】
なお、本実施の形態１では、複数の噴孔３９の中にスイッチング噴孔３９２を一つ含む場合について説明したが、スイッチング噴孔３９２は、二つ以上であってもよい。また、スイッチング噴霧の長軸と短軸の方向が９０度変化する場合について説明したが、これに限定されるものではなく、任意の角度に設定することができる。さらに、スイッチング噴霧５Ａの形状は、断面形状がより偏平であってもよい。長軸と短軸の比が大きい噴霧を生成しようとする場合、長軸方向が分断しない範囲で長軸と短軸の方向が変化するように噴孔仕様を設定すればよい。
【００９４】
また、全体噴霧６０の形状は、中空円錐形状のみならず、中実円錐形状、三角形状等、種々のバリエーションを実現することが可能である。さらに、本実施の形態１では、燃料噴射弁１として電磁式の燃料噴射弁を例に挙げて説明したが、駆動源は他の方式でもよく、ピエゾ式、機械式等であっても良い。また、間欠噴射弁、連続噴射弁どちらにも適用することが可能である。
【００９５】
このように、本実施の形態１に係る燃料噴射弁１は、噴孔プレート３３の周方向に配置された複数の噴孔３９が少なくとも一つのスイッチング噴孔３９２を含み、スイッチング噴孔３９２により生成されるスイッチング噴霧は、該噴孔３９２から所定の距離でアクシス−スイッチング現象を生じ、噴射方向に垂直な面内の断面形状において長軸と短軸の方向を変化させるものである。
【００９６】
これにより、全体噴霧６０を形成する各噴霧のうち、少なくとも一つの噴霧の噴射方向に垂直な面内の断面形状を変化させることができ、所望の方向を指向するように制御することが可能となる。また、スイッチング噴霧は、変形によって周囲空気との運動量交換が進み、貫徹力が低下することを利用し、所定距離において噴霧の貫徹力を急速に減衰させることが可能である。また、貫徹力が低下することにより周囲空気との混合が進み、微粒化が向上する。さらに、噴射量分布および噴霧方向は、各噴孔仕様によって設定することができる。
【００９７】
以上のことから、本実施の形態１によれば、複数の噴孔３９により生成される各噴霧のうち、少なくとも一つをスイッチング噴霧５Ａとすることにより、アクシス−スイッチング現象を利用して噴霧方向を制御することが可能となり、噴霧の微粒化と、噴霧形状、貫徹力、および噴射量分布の設計自由度の向上を両立させることが可能となる。
【００９８】
なお、本実施の形態１では、燃料噴射弁１を例に挙げて説明したが、本発明に係る流体噴射弁の用途はこれに限定されるものではない。その他の用途として、塗装、コーティング、農薬散布、洗浄、加湿、スプリンクラー、殺菌用スプレー、冷却等の一般産業用、あるいは農業用、設備用、家庭用、個人用としての各種スプレー等、多岐にわたる。本発明に係る流体噴射弁は、駆動源やノズル形態、噴霧する流体の種類に関わらず、様々な用途の噴霧生成装置に組み入れることが可能である。
【００９９】
実施の形態２．
図１４は、本発明の実施の形態２に係る火花点火式エンジンを模式的に示す図であり、（ａ）は成層燃焼時（ピストン上昇中）、（ｂ）は均質燃焼時（ピストン下降中）の状態を示している。本実施の形態２に係る火花点火式エンジン６は、燃焼室７に燃料を噴射する燃料噴射弁として、上記実施の形態１に係る燃料噴射弁１を備えたものである。
【０１００】
本実施の形態２に係る火花点火式エンジン６の燃料噴射弁１の構成は、上記実施の形態１と同様であるので詳細な説明は省略するが、燃料が流れる通路の途中に設けられた弁座３２と、弁座３２と当接および離間可能に設けられ通路の開閉を制御する弁体３５と、弁座３２の下流に設けられ複数の噴孔３９を有する噴孔プレート３３を備えている（図１、図３参照）。
【０１０１】
また、複数の噴孔３９の少なくとも一つは、噴射方向に垂直な面内の断面形状において長軸と短軸の長さが異なるスイッチング噴霧５Ａを生成するスイッチング噴孔３９２である。スイッチング噴孔３９２により生成されるスイッチング噴霧５Ａは、該スイッチング噴孔３９２から所定の距離でアクシス−スイッチング現象を生じるように制御され、長軸と短軸の方向を変化させる。
【０１０２】
図１４に示すように、火花点火式エンジン６の燃焼室７には、吸気ポート８と排気ポート９が連通しており、各々の燃焼室７側の開口部には、ピストン１０と連動して開閉する吸気弁１１と排気弁１２が設けられている。また、燃焼室７の天井の略中央部には燃料噴射弁１が配置され、その側方には点火プラグ１３が配置される。なお、燃料噴射弁１および点火プラグ１３の配置は、これに限定されるものではない。
【０１０３】
本実施の形態２では、燃料噴射弁１のスイッチング噴孔３９２により生成されるスイッチング噴霧５Ａは、アクシス−スイッチング現象により点火プラグ１３近傍を指向する噴霧となるように制御される。また、スイッチング噴霧５Ａがアクシス−スイッチング現象を生じるか否かは、燃焼室７内の圧力または空気流動により制御される。
【０１０４】
また、スイッチング噴孔３９２は、短軸に対して長軸が線対称なスイッチング噴霧５Ａを生成するように、その噴孔径、長さ、および傾きを含む噴孔仕様が設定される。これにより、アクシス−スイッチング現象を生じた後も線対称な形状となり、点火プラグ１３近傍に安定して噴霧を停滞させるのに好都合である。
【０１０５】
また、複数の噴孔３９は、少なくともスイッチング噴孔３９２により生成されるスイッチング噴霧５Ａがアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定される。
【０１０６】
さらに、複数の噴孔３９により生成される各噴霧は、少なくともスイッチング噴孔３９２により生成されるスイッチング噴霧５Ａがアクシス−スイッチング現象を生じるまでは、隣接する噴霧との近接化を誘起するコアンダ効果が互いに作用しない流速、粒径、および粒子数密度に設定される。なお、本実施の形態２では、各噴霧は、スイッチング噴霧５Ａがアクシス−スイッチング現象を生じた後も、隣接する噴霧との間でコアンダ効果が作用しないようにしている。
【０１０７】
本発明の実施の形態２に係る火花点火式エンジン６における成層燃焼時と均質燃焼時の全体噴霧の状態について、図１４を用いて説明する。図１４（ａ）に示す成層燃焼時においては、ピストン１０の上昇により燃焼室７の空気が圧縮され、燃焼室７内の圧力が上昇する。
【０１０８】
このため、各非スイッチング噴霧４Ａおよびスイッチング噴霧５Ａの貫徹力は均質燃焼時よりも小さくなる。スイッチング噴霧５Ａは、点火プラグ１３近傍を通過する過程でアクシス−スイッチング現象を生じ、点火プラグ１３近傍を指向する。同時に貫徹力が大幅に低下し、点火プラグ１３近傍を通過した時点で貫徹力を失い、点火プラグ１３近傍で滞留する。
【０１０９】
すなわち、噴射位置から点火プラグ１３近傍までの所望の距離で、スイッチング噴霧５Ａの貫徹力を急減衰させ、点火プラグ１３近傍において所望の濃い混合気を形成することができる。このことは、成層燃焼を成立させるのに好都合である。
【０１１０】
また、各非スイッチング噴霧４Ａは、成層燃焼に適した混合燃焼状態となるように指向させると共に、シリンダライナー１４やピストン１０表面への衝突が抑制されるように貫徹力を設定される。これにより、全体噴霧６０は、シリンダライナー１４やピストン１０表面への衝突を抑制され、且つ、点火プラグ１３近傍に成層燃焼に適した濃い混合気を形成する。
【０１１１】
また、図１４（ｂ）に示す均質燃焼時においては、ピストン１０の下降と共に吸気弁１１が開となるため、タンブル流等の強い空気流動が燃焼室７内に生じる。スイッチング噴霧５Ａは、点火プラグ１３近傍を通過する過程で燃焼室７内の空気流動に追随し、アクシス−スイッチング現象を生じず、燃焼室７内全体に拡散する。
【０１１２】
このように、本実施の形態２に係る火花点火式エンジン６は、成層燃焼時において、点火プラグ１３近傍を指向する噴霧と指向しない噴霧との間に、大きな特性差を設けることができる。点火プラグ１３近傍を指向する噴霧としてスイッチング噴霧５Ａを適用することにより、点火プラグ１３との衝突を避けつつ、点火プラグ１３近傍で成層燃焼に適した混合気を形成することが可能である。また、均質燃焼時においては、点火プラグ１３近傍を通過する過程で空気流動に追随させ、アクシス−スイッチング現象を生じず、燃焼室７全体に拡散させることが可能である。
【０１１３】
以上のように、本実施の形態２によれば、複数の噴孔３９により生成される各噴霧のうち、少なくとも一つをスイッチング噴霧５Ａとすることにより、アクシス−スイッチング現象を利用して点火プラグ１３近傍を指向する噴霧を生成することが可能となり、噴霧の微粒化と、噴霧形状、貫徹力、および噴射量分布の設計自由度の向上を両立させることが可能となる。なお、本発明は、その発明の範囲内において、各実施の形態を自由に組み合わせたり、各実施の形態を適宜、変形、省略したりすることが可能である。
【産業上の利用可能性】
【０１１４】
本発明は、流体噴射弁、特に内燃機関に搭載される燃料噴射弁並びに火花点火式エンジンとして利用することができる。
【符号の説明】
【０１１５】
１  燃料噴射弁、２  ソレノイド装置、３  弁装置、
４ａ、４ｂ、４ｃ、５ａ、５ｂ、５ｃ  噴流、
４Ａ、４Ｂ、４Ｃ  非スイッチング噴霧、５Ａ、５Ｂ、５Ｃ  スイッチング噴霧、
６  火花点火式エンジン、７  燃焼室、８  吸気ポート、９  排気ポート、
１０  ピストン、１１  吸気弁、１２  排気弁、１３  点火プラグ、
１４  シリンダライナー、２１  ハウジング、２２  コア、２３  コイル、
２４  アマチュア、３０  液膜流、３１  弁本体、３２  弁座、３２ａ  弁座面、
３３  噴孔プレート、３４  カバープレート、３４ａ  天面、３４ｂ  薄肉部、
３４ｃ  小径部、３４ｄ  大径部、３５  弁体、３６  圧縮バネ、３７  ロッド、
３８  ボール、３８ａ  面取部、３８ｂ  平面部、３８ｃ  曲面部、３９  噴孔、
４０、５０  集合噴霧、６０全体噴霧、
３９１  非スイッチング噴孔、３９２  スイッチング噴孔。